(57)【要約】【課題】ユーザデータの経路を短縮する。【解決手段】内線送受信サーバ３０とＮｏｄｅＢ２０ａ，２０ｂとが、ＭＳ１０ａ，１０ｂ間で送受信されるユーザデータを、無線アクセスネットワーク５０内でデータを送受信する内線送受信により、無線アクセスネットワーク５０の外にあるＭＳＣ６０を介さずに送受信する。【選択図】      図１
2004364054.tif 000002
【特許請求の範囲】
【請求項１】
移動局装置間で送受信されるユーザデータを、移動交換局を備えるコアネットワークと前記移動局装置との間のデータを中継する無線アクセスネットワーク内でデータを送受信する内線送受信により、無線基地局装置と送受信する内線送受信装置と、
該内線送受信装置と前記ユーザデータを送受信する前記無線基地局装置と
を備えることを特徴とする移動体通信システム。
【請求項２】
前記ユーザデータを送信する通信元の前記移動局装置と接続する通信元の前記無線基地局装置は、前記通信元の移動局装置から前記ユーザデータを受信し、前記内線送受信装置に送信し、
該内線送受信装置は、前記通信元の無線基地局装置から前記ユーザデータを受信し、該ユーザデータを受信する通信先の前記移動局装置と接続する通信先の前記無線基地局装置に送信し、
該通信先の無線基地局装置は、前記内線送受信装置から前記ユーザデータを受信し、前記通信先の移動局装置に送信することを特徴とする請求項１に記載の移動体通信システム。
【請求項３】
前記内線送受信装置は、前記ユーザデータを前記内線送受信により他の前記内線送受信装置と送受信することを特徴とする請求項１に記載の移動体通信システム。
【請求項４】
前記ユーザデータを送信する通信元の前記移動局装置と接続する通信元の前記無線基地局装置は、前記通信元の移動局装置から前記ユーザデータを受信し、前記通信元の無線基地局と前記ユーザデータの送受信が可能な通信元の前記内線送受信装置に送信し、
該通信元の内線送受信装置は、前記通信元の無線基地局装置から前記ユーザデータを受信し、該ユーザデータを受信する通信先の前記移動局装置と接続する通信先の前記無線基地局装置と前記ユーザデータの送受信が可能な通信先の前記内線送受信装置に送信し、
該通信先の内線送受信装置は、前記通信元の内線送受信装置から前記ユーザデータを受信し、前記通信先の無線基地局装置に送信し、
該通信先の無線基地局装置は、前記通信先の内線送受信装置から前記ユーザデータを受信し、前記通信先の移動局装置に送信することを特徴とする請求項３に記載の移動体通信システム。
【請求項５】
前記内線送受信により前記ユーザデータを送受信するか否かを判断する内線送受信判断部を備えることを特徴とする請求項１乃至４のいずれか１項に記載の移動体通信システム。
【請求項６】
前記内線送受信判断部は、前記無線アクセスネットワークにおけるトラヒック状況、前記内線送受信装置の処理能力、前記移動局装置のユーザからの前記内線送受信の要求、又は、前記無線基地局装置と前記ユーザデータの送受信が可能な前記内線送受信装置の有無の少なくとも１つに基づいて判断することを特徴とする請求項５に記載の移動体通信システム。
【請求項７】
前記無線基地局装置は、前記移動局装置間で送受信される移動局制御データを、前記移動交換局を介して送受信することを特徴とする請求項１乃至６のいずれか１項に記載の移動体通信システム。
【請求項８】
移動局装置間で送受信されるユーザデータを、移動交換局を備えるコアネットワークと前記移動局装置との間のデータを中継する無線アクセスネットワーク内でデータを送受信する内線送受信により、無線基地局装置と送受信する基地局送受信部を備えることを特徴とする内線送受信装置。
【請求項９】
前記ユーザデータを、前記内線送受信により他の内線送受信装置と送受信する内線送受信部を備えることを特徴とする請求項８に記載の内線送受信装置。
【請求項１０】
移動局装置間で送受信されるユーザデータを、移動交換局を備えるコアネットワークと前記移動局装置との間のデータを中継する無線アクセスネットワーク内でデータを送受信する内線送受信により送受信するか否かを判断する内線送受信判断部を備えることを特徴とする制御装置。
【請求項１１】
前記内線送受信判断部は、前記無線アクセスネットワークにおけるトラヒック状況、前記ユーザデータを前記内線送受信により前記無線基地局装置と送受信する内線送受信装置の処理能力、前記移動局装置のユーザからの前記内線送受信の要求、又は、前記無線基地局装置と前記ユーザデータの送受信が可能な前記内線送受信装置の有無の少なくとも１つに基づいて判断することを特徴とする請求項１０に記載の制御装置。
【請求項１２】
移動局装置間で送受信されるユーザデータを、移動交換局を備えるコアネットワークと前記移動局装置との間のデータを中継する無線アクセスネットワーク内でデータを送受信する内線送受信により、無線基地局装置と送受信する内線送受信装置と前記ユーザデータを前記内線送受信により送受信するユーザデータ送受信部を備えることを特徴とする無線基地局装置。
【請求項１３】
前記移動局装置間で送受信される移動局制御データを、前記移動交換局を介して送受信する制御データ送受信部と、
前記移動局装置から受信したデータに基づいて、前記ユーザデータ送受信部と前記制御データ送受信部が行う前記データの送信を制御する送信制御部と
を備えることを特徴とする請求項１２に記載の無線基地局装置。
【請求項１４】
移動局装置間で送受信されるユーザデータを、移動交換局を備えるコアネットワークと前記移動局装置との間のデータを中継する無線アクセスネットワーク内でデータを送受信する内線送受信により、他の無線基地局装置と送受信する基地局送受信部を備えることを特徴とする無線基地局装置。
【請求項１５】
移動局装置間で送受信されるユーザデータを、移動交換局を備えるコアネットワークと前記移動局装置との間のデータを中継する無線アクセスネットワーク内でデータを送受信する内線送受信により、無線基地局装置と送受信する基地局送受信部を備えることを特徴とする無線制御装置。
【請求項１６】
ユーザデータが、無線アクセスネットワーク内でデータを送受信する内線送受信により送受信されることを要求する内線送受信要求を送信する要求送信部を備えることを特徴とする移動局装置。
【請求項１７】
移動局装置間で送受信されるユーザデータを、無線アクセスネットワーク内でデータを送受信する内線送受信により、送受信することを特徴とする通信方法。
【発明の詳細な説明】
【０００１】
【発明の属する技術分野】
本発明は、移動体通信システム、内線送受信装置、制御装置、無線基地局装置、無線制御装置、移動局装置及び通信方法に関する。
【０００２】
【従来の技術】
従来の移動体通信システム４００は、図１９に示すように、ＮｏｄｅＢ４２０ａ，４２０ｂと接続するＭＳ（Ｍｏｂｉｌｅ  Ｓｔａｔｉｏｎ）４１０ａ，４１０ｂと、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）に準拠した無線アクセスネットワーク４５０と、コアネットワーク４８０とから構成される。無線アクセスネットワーク４５０は、ＲＮＣ（Ｒａｄｉｏ  Ｎｅｔｗｏｒｋ  Ｃｏｎｔｒｏｌｌｅｒ）４４０ａ，４４０ｂと、ＲＮＣ４４０ａ，４４０ｂと接続するＮｏｄｅＢ４２０ａ，４２０ｂとから構成される。コアネットワーク４８０は、ＲＮＣ４４０ａ，４４０ｂと接続するＭＳＣ（Ｍｏｂｉｌｅ  Ｓｗｉｔｃｈ  Ｃｏｎｔｒｏｌｌｅｒ）４６０と、ＭＳＣ４６０と接続するＨＬＲ（Ｈｏｍｅ  Ｌｏｃａｔｉｏｎ  Ｒｅｇｉｓｔｅｒ）４７０とから構成される（例えば、非特許文献１参照）。ＲＮＣ４４０ａ，４４０ｂは、無線制御装置である。ＮｏｄｅＢ４２０ａ，４２０ｂは、無線基地局装置である。ＭＳ４１０ａ，４１０ｂは、移動局装置である。ＭＳＣ４６０は、移動交換局である。ＨＬＲ４７０は、加入者情報データベースである。
【０００３】
移動体通信システム４００では、図２０に示す手順で通信が行われる。図２０は、ＮｏｄｅＢ４２０ａの無線ゾーンに在圏するＭＳ４１０ａが通信元であり、ＭＳ４１０ｂが通信先である場合を示している。ＭＳ４１０ａは、通信を開始するとき、ＮｏｄｅＢ４２０ａを介してＲＮＣ４４０ａに接続する。そして、ＭＳ４１０ａは、ＲＮＣ４４０ａに発信要求を送信する（Ｓ４０１）。ＲＮＣ４４０ａは、通信先のＭＳ４１０ｂと接続可能かをＭＳＣ４６０に問い合わせる（Ｓ４０２）。ＭＳＣ４６０は、ＨＬＲ４７０を検索し、ＭＳ４１０ｂに関する情報をＨＬＲ４７０から取得する（Ｓ４０３）。
【０００４】
ＭＳＣ４６０は、取得したＭＳ４１０ｂに関する情報に基づいて、ＲＮＣ４４０ａが、通信先のＭＳ４１０ｂと、ＭＳ４１０ｂが接続するＮｏｄｅＢ４２０ｂ、ＲＮＣ４４０ｂ、ＭＳＣ４６０を介して、接続可能か否かを判断する。ＭＳＣ４６０は、接続可能と判断した場合、ＲＮＣ４４０ａに、ＭＳ４１０ｂと接続するように指示する（Ｓ４０４）。又、ＭＳＣ４６０は、ＭＳ４１０ｂを呼び出し、ＭＳ４１０ｂから呼び出し応答を受ける（Ｓ４０５）。
【０００５】
ＲＮＣ４４０ａは指示を受けると、まず、ＮｏｄｅＢ４２０ａと接続する（Ｓ４０６）。そして、ＭＳ４１０ａは、ＮｏｄｅＢ４２０ａにＭＳ４１０ｂへのユーザデータを送信し、通信を開始する（Ｓ４０７）。よって、移動体通信システム４００におけるユーザデータの経路Ｃは必ず、図２１に示すようにＭＳＣ４６０を経由するものとなっていた。即ち、移動体通信システム４００では、全ての呼がＭＳＣ４６０を介して処理されていた。
【０００６】
そのため、通信先と通信元の移動局が同一の無線基地局装置の配下に存在する場合であっても、ユーザデータは移動交換局を経由する冗長な経路を経由していた。よって、その分、多くの回線が必要となり、移動交換局を経由する経路分の回線利用料が発生し、その経路分だけ遅延が発生するなどの問題を生じていた。通常、無線制御装置や移動交換局は、機能を集約するために、無線基地局装置と離れた場所に設置されることが多いが、その場合には問題が顕著であった。
【０００７】
このような問題を解消するために、従来の移動交換局の機能のうち、１つ又は少数の無線基地局装置の配下に存在する移動局の通信を処理する機能を持つ移動交換局（以下「分散移動交換局」という）を、これらの無線基地局装置に近い場所に分散して設置する技術が提案されている。この場合、分散移動交換局の上位に、従来の移動交換局の機能を持つ移動交換局（以下「集約移動交換局」という）が設けられる。これにより、通信元と通信先の移動局が共に、同一の分散移動交換局の配下に存在する場合には、ユーザデータの経路を短縮できる。よって、この場合には、従来の移動交換局しかない場合に発生していた、移動交換局を経由する経路分の回線利用料を削減でき、その経路分の遅延を短縮できる。
【０００８】
【非特許文献１】
服部武、藤岡雅宣監修，「ワイヤレス・ブロードバンド教科書」，株式会社ＩＤＧジャパン，２００２年６月１０日，ｐ．２６〜３７
【０００９】
【発明が解決しようとする課題】
しかしながら、分散移動交換局を設置した場合であっても、異なる分散移動交換局の配下に存在する移動局同士が通信を行う際には、ユーザデータは集約移動交換局を経由する冗長な経路を経由しなければならなかった。そのため、この場合には、結局、その分、多くの回線が必要となり、集約移動交換局を経由する経路分の回線利用料が発生し、その経路分だけ遅延が発生してしまっていた。更に、分散移動交換局を設置する場合には、分散移動交換局と集約移動交換局の両方が、移動局の通信を処理する機能を持つ必要があるため、移動体通信システムの機能が冗長になってしまう。又、移動交換局が本来有している制御データを集約して処理する集約効果が損なわれてしまう。そこで、本発明は、ユーザデータの経路を短縮することを目的とする。
【００１０】
【課題を解決するための手段】
本発明に係る移動体通信システムは、移動局装置間で送受信されるユーザデータを、無線アクセスネットワーク内でデータを送受信する内線送受信により、無線基地局装置と送受信する内線送受信装置と、内線送受信装置とユーザデータを送受信する無線基地局装置とを備えることを特徴とする。無線アクセスネットワークとは、移動交換局を備えるコアネットワークと、移動局装置との間のデータを中継するネットワークである。
【００１１】
このような移動体通信システムによれば、ユーザデータを、無線基地局装置と内線送受信装置との間で、内線送受信により送受信できる。そのため、移動体通信システムでは、ユーザデータを、無線アクセスネットワークの外にある移動交換局を介さずに送受信できる。よって、移動体通信システムは、ユーザデータの経路を短縮できる。その結果、移動体通信システムは、移動交換局を経由する経路分の回線利用料を削減でき、その経路分の遅延を短縮できる。
【００１２】
特に、ユーザデータを送信する通信元の移動局装置と接続する通信元の無線基地局装置は、通信元の移動局装置からユーザデータを受信し、内線送受信装置に送信し、内線送受信装置は、通信元の無線基地局装置からユーザデータを受信し、ユーザデータを受信する通信先の移動局装置と接続する通信先の無線基地局装置に送信し、通信先の無線基地局装置は、内線送受信装置からユーザデータを受信し、通信先の移動局装置に送信することが好ましい。
【００１３】
又、内線送受信装置は、ユーザデータを内線送受信により他の内線送受信装置と送受信することが好ましい。これによれば、内線送受信装置同士が、ユーザデータを内線送受信により送受信できる。そのため、移動体通信システムは、ユーザデータを内線送受信により送受信できる範囲を容易に拡大できる。
【００１４】
特に、通信元の無線基地局装置は、通信元の移動局装置からユーザデータを受信し、通信元の無線基地局とユーザデータの送受信が可能な通信元の内線送受信装置に送信し、通信元の内線送受信装置は、通信元の無線基地局装置からユーザデータを受信し、通信先の無線基地局装置とユーザデータの送受信が可能な通信先の内線送受信装置に送信し、通信先の内線送受信装置は、通信元の内線送受信装置からユーザデータを受信し、通信先の無線基地局装置に送信し、通信先の無線基地局装置は、通信先の内線送受信装置からユーザデータを受信し、通信先の移動局装置に送信することが好ましい。
【００１５】
更に、移動体通信システムは、内線送受信によりユーザデータを送受信するか否かを判断する内線送受信判断部を備えることが好ましい。これによれば、移動体通信システムは、ユーザデータの送受信に一律に内線送受信を使用するのではなく、状況に応じて内線送受信を使い分けることができる。
【００１６】
内線送受信判断部は、内線送受信によりユーザデータを送受信するか否かを、例えば、無線アクセスネットワークにおけるトラヒック状況、内線送受信装置の処理能力、移動局装置のユーザからの内線送受信の要求、又は、無線基地局装置とユーザデータの送受信が可能な内線送受信装置の有無の少なくとも１つに基づいて判断することが好ましい。
【００１７】
内線送受信判断部が、無線アクセスネットワークにおけるトラヒック状況に基づいて判断する場合には、内線送受信と、従来の移動交換局を介したユーザデータの送受信のいずれを行うかや、ユーザデータの送受信自体の可否について、無線アクセスネットワークにおけるトラヒック状況に基づいて制御することができる。よって、移動体通信システムは、内線送受信によるユーザデータの送受信の品質を維持したり、トラヒックを分散したりできる。尚、無線アクセスネットワークにおけるトラヒック状況は、無線アクセスネットワークが備える無線基地局装置におけるトラヒック状況、内線送受信装置におけるトラヒック状況、無線制御装置におけるトラヒック状況により示すことができる。又、無線基地局装置におけるトラヒック状況、内線送受信装置におけるトラヒック状況、又は、無線制御装置におけるトラヒック状況の少なくとも２つ以上を組み合わせることにより示すこともできる。
【００１８】
又、内線送受信判断部が、内線送受信装置の処理能力に基づいて判断する場合には、内線送受信と、従来の移動交換局を介したユーザデータの送受信のいずれを行うかを、内線送受信装置の処理能力に基づいて制御することができる。よって、移動体通信システムは、内線送受信によるユーザデータの送受信の品質を維持したり、負荷を分散したりできる。
【００１９】
更に、内線送受信判断部が、移動局装置のユーザからの内線送受信の要求に基づいて判断する場合には、移動体通信システムは、ユーザの要求に対応して、内線送受信によりユーザデータを送受信できる。又、内線送受信判断部が、無線基地局装置とユーザデータの送受信が可能な内線送受信装置の有無に基づいて判断する場合には、例えば、無線基地局装置と接続する内線送受信装置がない、無線基地局装置と接続する内線送受信装置に障害が発生しているといったユーザデータを送受信する際の移動体通信システムにおける状況に応じて、内線送受信を使用するか否かを判断できる。よって、移動体通信システムは、内線送受信を、ユーザデータを送受信する際の移動体通信システムにおける状況に応じて、柔軟に使い分けることができる。
【００２０】
又、無線基地局装置は、移動局装置間で送受信される制御データ（以下「移動局制御データ」という）を、移動交換局を介して送受信することが好ましい。これによれば、移動体通信システムは、移動交換局が本来有している移動局制御データを集約して処理する機能を活用できる。
【００２１】
本発明に係る内線送受信装置は、移動局装置間で送受信されるユーザデータを、無線アクセスネットワーク内でデータを送受信する内線送受信により、無線基地局装置と送受信する基地局送受信部を備えることを特徴とする。このような内線送受信装置によれば、基地局送受信部が、ユーザデータを、無線基地局装置との間で内線送受信により送受信する。そのため、内線送受信装置は、無線アクセスネットワークの外にある移動交換局を介さずに、ユーザデータを無線基地局装置と送受信できる。よって、内線送受信装置は、ユーザデータの経路を短縮できる。
【００２２】
又、内線送受信装置は、ユーザデータを、内線送受信により他の内線送受信装置と送受信する内線送受信部を備えることが好ましい。これによれば、内線送受信装置同士が、ユーザデータを内線送受信により送受信できる。そのため、内線送受信装置は、ユーザデータを内線送受信により送受信できる範囲を容易に拡大できる。
【００２３】
本発明に係る制御装置は、移動局装置間で送受信されるユーザデータを、無線アクセスネットワーク内でデータを送受信する内線送受信により送受信するか否かを判断する内線送受信判断部を備えることを特徴とする。このような制御装置によれば、移動体通信システムは、ユーザデータの送受信に一律に内線送受信を使用するのではなく、状況に応じて内線送受信を使い分けることができる。
【００２４】
本発明に係る無線基地局装置は、移動局装置間で送受信されるユーザデータを、無線アクセスネットワーク内でデータを送受信する内線送受信により、無線基地局装置と送受信する内線送受信装置とユーザデータを内線送受信により送受信するユーザデータ送受信部を備えることを特徴とする。このような無線基地局装置によれば、ユーザデータ送受信部が、ユーザデータを、無線アクセスネットワークの外にある移動交換局と送受信せずに、内線送受信装置と送受信できる。よって、無線基地局装置は、ユーザデータの経路を短縮できる。
【００２５】
更に、無線基地局装置は、移動局装置間で送受信される移動局制御データを、移動交換局を介して送受信する制御データ送受信部と、移動局装置から受信したデータに基づいて、ユーザデータ送受信部と制御データ送受信部が行うデータの送信を制御する送信制御部とを備えることが好ましい。これによれば、無線基地局装置は、移動局装置から受信したデータがユーザデータの場合には、ユーザデータ送受信部を用いてユーザデータを内線送受信により送信するように制御できる。一方、無線基地局装置は、移動局装置から受信したデータが移動局制御データの場合には、制御データ送受信部を用いて移動局制御データを移動交換局を介して送信するように制御できる。そのため、無線基地局装置は、ユーザデータについては、内線送受信により送受信し、移動局制御データについては、移動交換局を介して送受信できる。よって、無線基地局装置は、ユーザデータの経路を短縮できると同時に、移動交換局が本来有している移動局制御データを集約して処理する機能を活用できる。
【００２６】
又、他の無線基地局装置は、移動局装置間で送受信されるユーザデータを、無線アクセスネットワーク内でデータを送受信する内線送受信により、他の無線基地局装置と送受信する基地局送受信部を備えることを特徴とする。このような無線基地局装置によれば、基地局送受信部が、ユーザデータを、他の無線基地局装置との間で内線送受信により送受信する。そのため、無線基地局装置は、無線アクセスネットワークの外にある移動交換局を介さずに、ユーザデータを他の無線基地局装置と送受信できる。よって、無線基地局装置は、ユーザデータの経路を短縮できる。
【００２７】
本発明に係る無線制御装置は、移動局装置間で送受信されるユーザデータを、無線アクセスネットワーク内でデータを送受信する内線送受信により、無線基地局装置と送受信する基地局送受信部を備えることを特徴とする。このような無線制御装置によれば、基地局送受信部が、ユーザデータを、無線基地局装置との間で内線送受信により送受信する。そのため、無線制御装置は、無線アクセスネットワークの外にある移動交換局を介さずに、ユーザデータを無線基地局装置と送受信できる。よって、無線制御装置は、ユーザデータの経路を短縮できる。
【００２８】
本発明に係る移動局装置は、ユーザデータが、無線アクセスネットワーク内でデータを送受信する内線送受信により送受信されることを要求する内線送受信要求を送信する要求送信部を備えることを特徴とする。これによれば、移動局装置のユーザが、内線送受信によるユーザデータの送受信を希望する場合に、内線送受信によるユーザデータの送受信を要求することができる。
【００２９】
本発明に係る通信方法は、移動局装置間で送受信されるユーザデータを、無線アクセスネットワーク内でデータを送受信する内線送受信により送受信することを特徴とする。
【００３０】
【発明の実施の形態】
［第１の実施の形態］
（移動体通信システム）
図１に示すように、移動体通信システム１００は、ＭＳ１０ａ，１０ｂと、無線アクセスネットワーク５０と、コアネットワーク８０とを備える。無線アクセスネットワーク５０は、ＮｏｄｅＢ２０ａ，２０ｂと、内線送受信サーバ３０と、ＲＮＣ４０ａ，４０ｂとを備える。コアネットワーク８０は、ＭＳＣ６０と、ＨＬＲ７０とを備える。
【００３１】
ＭＳ１０ａ，１０ｂは、無線基地局装置と無線を介してデータを送受信する無線通信を行う移動局装置である。ＭＳ１０ａ，１０ｂはそれぞれ、ＮｏｄｅＢ２０ａ，２０ｂと無線を介して接続し、ＮｏｄｅＢ２０ａ，２０ｂの配下に存在する。そして、ＭＳ１０ａ，１０ｂはそれぞれ、ＮｏｄｅＢ２０ａ，２０ｂと、ユーザデータ及び制御データを送受信する。尚、１つのＮｏｄｅＢに複数のＭＳが接続してもよい。又、各ＭＳ１０ａ，１０ｂは、データの送信と受信の両方を行ってもよく、データの送信だけを行ったり、データの受信だけを行ったりしてもよい。
【００３２】
無線アクセスネットワーク５０は、ＭＳＣ６０を備えるコアネットワーク８０と、ＭＳ１０ａ，１０ｂとの間のデータを中継する。無線アクセスネットワーク５０は、Ｎｏｄｅｂ２０ａ，２０ｂと、ＲＮＣ４０ａ，４０ｂとを用いて、コアネットワーク８０と、ＭＳ１０ａ，１０ｂとの間のデータを中継する。
【００３３】
ＮｏｄｅＢ２０ａ，２０ｂは、ＭＳ１０ａ，１０ｂと無線を介してデータを送受信する無線通信を行う無線基地局装置である。ＮｏｄｅＢ２０ａ，２０ｂはそれぞれ、ＭＳ１０ａ，１０ｂと無線を介して接続する。又、ＮｏｄｅＢ２０ａ，２０ｂはそれぞれ、ＲＮＣ４０ａ，４０ｂと接続する。更に、ＮｏｄｅＢ２０ａ，２０ｂは、内線送受信サーバ３０と接続する。そして、ＮｏｄｅＢ２０ａ，２０ｂはそれぞれ、ＭＳ１０ａ，１０ｂ、ＲＮＣ４０ａ，４０ｂと、ユーザデータ及び制御データを送受信する。尚、制御データには、ＭＳ１０ａ，１０ｂ間で送受信される移動局制御データと、内線送受信に関する制御データ（以下、「内線送受信制御データ」という）がある。又、ＮｏｄｅＢ２０ａ，２０ｂは、内線送受信サーバ３０と、ユーザデータを送受する。尚、１つのＲＮＣに複数のＮｏｄｅＢが配置されてもよい。又、１つのＮｏｄｅＢに複数の内線送受信サーバが接続していてもよい。
【００３４】
図２に示すように、ＮｏｄｅＢ２０ａは、無線送受信部２１と、対ＲＮＣインターフェース２２と、対内線送受信サーバインターフェース２３と、制御信号処理部２４と、ユーザデータ処理部２５とを備える。無線送受信部２１は、ＭＳ１０ａと無線を介してユーザデータや移動局制御データを送受信する無線通信を行う。無線送受信部２１は、アンテナ２１ａと接続し、アンテナ２１ａを介してＭＳ１０ａと無線通信を行う。対ＲＮＣインターフェース２２は、ＲＮＣ４０ａとユーザデータや制御データを送受信する。対ＲＮＣインターフェース２２は、ＭＳＣ６０を介して、ＭＳ１０ａ，１０ｂ間で送受信される移動局制御データを送受信する制御データ送受信部として機能する。対内線送受信サーバインターフェース２３は、内線送受信サーバ３０と、ユーザデータを無線アクセスネットワーク５０内でデータを送受信する内線送受信により、送受信するユーザデータ送受信部である。
【００３５】
制御信号処理部２４は、無線送受信部２１、対ＲＮＣインターフェース２２、対内線送受信サーバインターフェース２３が送受信する制御データを処理する。具体的には、制御信号処理部２４は、無線送受信部２１が受信した移動局制御データを、無線送受信部２１から取得し、対ＲＮＣインターフェース２２に入力する。制御信号処理部２４は、対ＲＮＣインターフェース２２が受信した移動局制御データを、対ＲＮＣインターフェース２２から取得し、無線送受信部２１に入力する。
【００３６】
更に、制御信号処理部２４は、対ＲＮＣインターフェース２２や対内線送受信サーバインターフェース２３が受信した内線送受信制御データを、対ＲＮＣインターフェース２２や対内線送受信サーバインターフェース２３から取得する。そして、制御信号処理部２４は、取得した内線送受信制御データに基づいて、ユーザデータ処理部２５を制御する。内線送受信制御データには、例えば、内線送受信によるユーザデータの送受信の実施の通知、内線送受信に用いる内線送受信サーバ３０のＩＰアドレスの通知、ユーザデータを内線送受信により送受信するか否かを判断するための情報（以下「判断情報」という）、判断情報の要求などが含まれる。よって、例えば、制御信号処理部２４は、ユーザデータ処理部２５に、通知されたＩＰアドレスの内線送受信サーバ３０を用いて、ユーザデータを内線送受信により送受信するよう指示をする。又、制御信号処理部２４は、内線送受信制御データを生成し、対ＲＮＣインターフェース２２や対内線送受信サーバインターフェース２３に入力する。
【００３７】
ユーザデータ処理部２５は、無線送受信部２１、対内線送受信サーバインターフェース２３が送受信するユーザデータを処理する。具体的には、ユーザデータ処理部２５は、無線送受信部２１が受信したユーザデータを、無線送受信部２１から取得する。そして、ユーザデータ処理部２５は、制御信号処理部２４の制御に従って、取得したユーザデータを対ＲＮＣインターフェース２２又は対内線送受信サーバインターフェース２３のいずれかに入力する。
【００３８】
ユーザデータ処理部２５は、制御信号処理部２４から、内線送受信により送受信するよう指示を受けた場合には、まず、ユーザデータの送信先ＩＰアドレスを、通信先のＭＳのＩＰアドレスから、通知された内線送受信サーバ３０のＩＰアドレスに変換したり、ユーザデータを、通知された内線送受信サーバ３０のＩＰアドレスでカプセル化したりする。その後、ユーザデータ処理部２５は、対内線送受信サーバインターフェース２３に、ユーザデータを入力する。一方、ユーザデータ処理部２５は、制御信号処理部２４から、内線送受信により送受信するよう指示を受けない間は、対ＲＮＣインターフェース２２に、ユーザデータを入力する。尚、ユーザデータの送信先ＩＰアドレスを変換した場合には、通信先のＭＳのＩＰアドレスをユーザデータ内に記録しておく。
【００３９】
このように、制御信号処理部２４及びユーザデータ処理部２５は、無線送受信部２１が受信したデータが移動局制御データの場合には、対ＲＮＣインターフェース２２に入力したり、無線送受信部２１が受信したデータがユーザデータの場合には、内線送受信によるユーザデータの送受信の実施の通知に基づいて、対内線送受信サーバインターフェース２３に入力したりすることにより、ＭＳ１０ａから受信したデータに基づいて、対内線送受信サーバインターフェース２３と対ＲＮＣインターフェース２２が行うデータの送信を制御する送信制御部として機能する。
【００４０】
又、ユーザデータ処理部２５は、対ＲＮＣインターフェース２２や対内線送受信サーバインターフェース２３が受信したユーザデータを、対ＲＮＣインターフェース２２や対内線送受信サーバインターフェース２３から取得し、無線送受信部２１に入力する。尚、ＮｏｄｅＢ２０ｂも、ＮｏｄｅＢ２０ａと同様の構成を備える。ＮｏｄｅＢ２０ｂの場合、無線送受信部２１は、ＭＳ１０ｂとユーザデータや制御データを送受信する。又、対ＲＮＣインターフェース２２は、ＲＮＣ４０ｂとユーザデータや制御データを送受信する。
【００４１】
内線送受信サーバ３０は、ＭＳ１０ａ，１０ｂ間で送受信されるユーザデータを、無線アクセスネットワーク５０内でデータを送受信する内線送受信により、ＮｏｄｅＢ２０ａ，２０ｂと送受信する内線送受信装置である。内線送受信サーバ３０は、図１に示すように、ＮｏｄｅＢ２０ａ，２０ｂ、ＲＮＣ４０ａ，４０ｂと接続する。そして、内線送受信サーバ３０は、ＮｏｄｅＢ２０ａ，２０ｂと、ユーザデータ及び内線送受信制御データを送受信する。内線送受信サーバ３０は、ＲＮＣ４０ａ，４０ｂと、内線送受信制御データを送受信する。
【００４２】
図３に示すように、内線送受信サーバ３０は、対ＮｏｄｅＢインターフェース３１と、対ＲＮＣインターフェース３２と、制御信号処理部３３と、ユーザデータ処理部３４とを備える。対ＮｏｄｅＢインターフェース３１は、ＭＳ１０ａ，１０ｂ間で送受信されるユーザデータを、無線アクセスネットワーク５０内でデータを送受信する内線送受信により、ＮｏｄｅＢ２０ａ，２０ｂと送受信する基地局送受信部である。対ＮｏｄｅＢインターフェース３１は、ＮｏｄｅＢ２０ａ，ＮｏｄｅＢ２０ｂと、ユーザデータや内線送受信制御データを送受信する。対ＲＮＣインターフェース３２は、ＲＮＣ４０ａ，４０ｂと内線送受信制御データを送受信する。
【００４３】
制御信号処理部３３は、対ＮｏｄｅＢインターフェース３１、対ＲＮＣインターフェース３２が送受信する内線送受信制御データを処理する。例えば、制御信号処理部３３は、対ＲＮＣインターフェース３２が受信した内線送受信制御データを、対ＲＮＣインターフェース３２から取得する。制御信号処理部３３は、取得した内線送受信制御データに基づいて、ユーザデータ処理部３４を制御する。例えば、制御信号処理部３３は、ＭＳ１０ａ，１０ｂ間で送受信されるユーザデータについて、内線送受信による送受信の実施の通知を取得した場合、ユーザデータ処理部３４に、ＭＳ１０ａと接続するＮｏｄｅＢ２０ａから受信したＭＳ１０ａが通信元、ＭＳ１０ｂが通信先であるユーザデータは、ＭＳ１０ｂと接続するＮｏｄｅＢ２０ｂに送信するように指示する。又、制御信号処理部３３は、ユーザデータ処理部３４に、ＭＳ１０ｂと接続するＮｏｄｅＢ２０ｂから受信したＭＳ１０ｂが通信元、ＭＳ１０ａが通信先であるユーザデータは、ＭＳ１０ａと接続するＮｏｄｅＢ２０ａに送信するように指示する。このようにして、制御信号処理部３３は、ユーザデータ処理部３４に、ユーザデータを内線送受信により送受信するよう指示をする。又、制御信号処理部３３は、内線送受信制御データを生成し、対ＮｏｄｅＢインターフェース３１や対ＲＮＣインターフェース３２に入力する。
【００４４】
ユーザデータ処理部３４は、対ＮｏｄｅＢインターフェース３１が行うユーザデータの送受信を制御する。ユーザデータ処理部３４は、制御信号処理部３３の制御に従って、対ＮｏｄｅＢインターフェース３１に対して、通信元のＭＳ１０ａ，１０ｂに接続するＮｏｄｅＢ２０ａ，２０ｂから受信したユーザデータを、通信先のＭＳ１０ｂ，１０ａに接続するＮｏｄｅＢ２０ｂ，２０ａに送信するように指示する。具体的には、ユーザデータ処理部３４は、対ＮｏｄｅＢインターフェース３１から、受信したユーザデータを取得する。
【００４５】
ユーザデータ処理部３４は、ユーザデータが、内線送受信サーバ３０のＩＰアドレスでカプセル化されている場合には、取得したユーザデータをディカプセル化する。ユーザデータ処理部３４は、ディカプセル化後のユーザデータの通信元、通信先を識別する識別情報を取得する。又、ユーザデータ処理部３４は、ディカプセル化後のユーザデータを、対ＮｏｄｅＢインターフェース３１に入力する。ユーザデータ処理部３４は、ユーザデータの送信先ＩＰアドレスが、内線送受信サーバ３０のＩＰアドレスに変換されている場合には、ユーザデータから、通信先のＭＳのＩＰアドレスを取得し、取得したユーザデータの送信先ＩＰアドレスを、通信先のＭＳのＩＰアドレスに逆変換する。ユーザデータ処理部３４は、逆変換後のユーザデータの通信元、通信先を識別する識別情報を取得する。又、ユーザデータ処理部３４は、逆変換後のユーザデータを、対ＮｏｄｅＢインターフェース３１に入力する。
【００４６】
ユーザデータ処理部３４は、取得したユーザデータの通信元、通信先の識別情報と、制御信号処理部３３からの指示とに基づいて、受信したユーザデータを送信するＮｏｄｅＢを判断する。そして、ユーザデータ処理部３３は、その判断結果に基づいて、ユーザデータを送信するＮｏｄｅＢを、対ＮｏｄｅＢインターフェース３１に指示する。尚、識別情報には、例えば、ＭＳ１０ａ，１０ｂのＩＰアドレスや、ＭＳ１０ａ，１０ｂを利用するユーザのユーザＩＤや、移動局ＩＤなどがある。
【００４７】
ＲＮＣ４０ａ，４０ｂは、ＭＳ１０ａ，１０ｂとＮｏｄｅＢ２０ａ，２０ｂとが行う無線通信を制御する無線制御装置である。ＲＮＣ４０ａ，４０ｂは、図１に示すように、内線送受信サーバ３０、ＭＳＣ６０と接続する。ＲＮＣ４０ａ，４０ｂはそれぞれ、ＮｏｄｅＢ２０ａ，２０ｂと接続する。そして、ＲＮＣ４０ａ，４０ｂは、ＭＳＣ６０、ＮｏｄｅＢ２０ａ，２０ｂと、ユーザデータ及び制御データを送受信する。又、ＲＮＣ４０ａ，４０ｂは、内線送受信サーバ３０と、内線送受信制御データを送受信する。尚、１つのＭＳＣ６０に多数のＲＮＣが配置されてもよい。
【００４８】
図４に示すように、ＲＮＣ４０ａは、対ＮｏｄｅＢインターフェース４１と、対内線送受信サーバインターフェース４２と、対ＭＳＣインターフェース４３と、制御信号処理部４４と、ユーザデータ処理部４５とを備える。対ＮｏｄｅＢインターフェース４１は、ＮｏｄｅＢ２０ａと、ユーザデータや制御データを送受信する。対内線送受信サーバインターフェース４２は、内線送受信サーバ３０と、内線送受信制御データを送受信する。対ＭＳＣインターフェース４３は、ＭＳＣ６０と、ユーザデータや制御データを送受信する。
【００４９】
制御信号処理部４４は、対ＮｏｄｅＢインターフェース４１、対内線送受信サーバインターフェース４２、対ＭＳＣインターフェース４３が送受信する制御データを処理する。具体的には、制御信号処理部４４は、対ＮｏｄｅＢインターフェース４１が受信した制御データを、対ＮｏｄｅＢインターフェース４１から取得し、ＭＳＣインターフェース４３に入力する。制御信号処理部４４は、対内線送受信制御サーバインターフェース４２が受信した内線送受信制御データを、対内線送受信制御サーバインターフェース４２から取得し、ＭＳＣインターフェース４３に入力する。
【００５０】
制御信号処理部４４は、対ＭＳＣインターフェース４３が受信した移動局制御データと、ＮｏｄｅＢ２０ａに対する内線送受信制御データを、対ＭＳＣインターフェース４３から取得し、対ＮｏｄｅＢインターフェース４１に入力する。又、制御信号処理部４４は、対ＭＳＣインターフェース４３が受信した内線送受信サーバ３０に対する内線送受信制御データを、対ＭＳＣインターフェース４３から取得し、対内線送受信サーバインターフェース４２に入力する。
【００５１】
又、制御信号処理部４４は、ＭＳ１０ａとＮｏｄｅＢ２０ａとが行う無線通信を制御する通信制御部としても機能する。制御信号処理部４４は、ＮｏｄｅＢ２０ａを制御することにより、無線通信を制御する。具体的には、制御信号処理部４４は、ＭＳ１０ａとＮｏｄｅＢ２０ａとがデータを送受信するための無線チャネルを割り当てる。制御信号処理部４４は、その割り当てや無線リソースの使用状況を管理する。又、制御信号処理部４４は、ハンドオーバの制御などを行う。制御信号処理部４４は、無線チャネルの割り当てに関する情報など、無線通信の制御に関する情報を、制御データとして、対ＮｏｄｅＢインターフェース４１を介して、ＮｏｄｅＢ２０ａと送受信する。尚、制御信号処理部４４は、複数のＮｏｄｅＢがＲＮＣ４０ａに接続する場合には、複数のＮｏｄｅＢが行う無線通信を制御する。
【００５２】
ユーザデータ処理部４５は、対ＮｏｄｅＢインターフェース４１、対ＭＳＣインターフェース４３が送受信するユーザデータを処理する。具体的には、ユーザデータ処理部４５は、対ＮｏｄｅＢインターフェース４１が受信したユーザデータを、対ＮｏｄｅＢインターフェース４１から取得し、対ＭＳＣインターフェース４３に入力する。又、ユーザデータ処理部４５は、対ＭＳＣインターフェース４３が受信したユーザデータを、対ＭＳＣインターフェース４３から取得し、対ＮｏｄｅＢインターフェース４１に入力する。
【００５３】
尚、ＲＮＣ４０ｂも、ＲＮＣ４０ａと同様の構成を備える。ＲＮＣ４０ｂの場合、対ＮｏｄｅＢインターフェース４１は、ＮｏｄｅＢ２０ｂとユーザデータや制御データを送受信する。又、制御信号処理部４４は、ＮｏｄｅＢ２０ｂを制御することにより、ＭＳ１０ｂとＮｏｄｅＢ２０ｂとが行う無線通信を制御する。
【００５４】
ＭＳＣ６０は、ＭＳ１０ａ，１０ｂ間で送受信されるユーザデータ及び制御データを、コアネットワーク８０において送受信する移動交換局である。又、ＭＳＣ６０は、ＭＳ１０ａ，１０ｂ間で送受信されるユーザデータを、無線アクセスネットワーク５０内でデータを送受信する内線送受信により送受信するか否かを判断する制御装置としても機能する。ＨＬＲ７０は、加入者情報を保持する加入者情報データベースである。ＭＳＣ６０は、図１に示すように、ＲＮＣ４０ａ，４０ｂ、ＨＬＲ７０と接続する。そして、ＭＳＣ６０は、ＲＮＣ４０ａ，４０ｂと、ユーザデータ及び制御データを送受信する。又、ＭＳＣ６０は、ＨＬＲ７０が保持する加入者情報を参照する。尚、ＭＳＣ６０は、他のＭＳＣや、無線アクセスネットワーク５０とコアネットワーク８０以外のネットワークと接続してもよい。又、ＨＬＲ７０は、ＭＳＣ６０と接続する。
【００５５】
図５に示すように、ＭＳＣ６０は、対ＲＮＣインターフェース６１と、対ＨＬＲインターフェース６２と、制御信号処理部６３と、ユーザデータ処理部６４と、内線送受信サーバ接続情報データベース（以下「内線送受信サーバＤＢ」と表す）６５と、内線送受信判断部６６とを備える。
【００５６】
内線送受信サーバ接続情報ＤＢ６５は、ＮｏｄｅＢとユーザデータの送受信が可能な内線送受信サーバに関する内線送受信サーバ接続情報を保持する。図６に示すように、内線送受信サーバ接続情報は、ＮｏｄｅＢと、ＮｏｄｅＢと接続している内線送受信サーバとの対応関係を示す。内線送受信サーバ接続情報ＤＢ６５は、ＮｏｄｅＢ名を格納するフィールドと、ＮｏｄｅＢと接続している内線送受信サーバ名を格納するフィールドと、内線送受信サーバのＩＰアドレスを格納するフィールドを備える。そして、内線送受信サーバ接続情報ＤＢ６５は、ＮｏｄｅＢ名と、接続している内線送受信サーバ名と、その内線送受信サーバのＩＰアドレスとを、対応付けて保持している。ＮｏｄｅＢ名、内線送受信サーバ名はそれぞれ、ＮｏｄｅＢ、内線送受信サーバを識別する名称である。
【００５７】
図６では、ＮｏｄｅＢ名、内線送受信サーバ名として、０１〜０４の数字を用いているが、ＮｏｄｅＢ名、内線送受信サーバ名は、内線送受信サーバを一意に識別できる識別情報であれば、特に限定されない。ＮｏｄｅＢに接続している内線送受信サーバが存在しない場合には、内線送受信サーバ名のフィールドに「なし」と格納される。又、ＮｏｄｅＢ２０ａのＮｏｄｅＢ名は、「ＮｏｄｅＢ０１」であり、ＮｏｄｅＢ２０ｂのＮｏｄｅＢ名は、「ＮｏｄｅＢ０２」であり、内線送受信サーバ３０の内線送受信サーバ名は、「内線送受信サーバ０１」である。よって、内線送受信サーバ接続情報によれば、ＮｏｄｅＢ２０ａ，２０ｂが接続している内線送受信サーバは、内線送受信サーバ３０であり、そのＩＰアドレスが「２５５．２５５．２５５．３」であることが分かる。
【００５８】
このように、内線送受信サーバ接続情報は、ＮｏｄｅＢと接続している内線送受信サーバを一意に識別できると同時に、その内線送受信サーバのＩＰアドレスも認識できるようになっている。ここで、ＮｏｄｅＢに接続している内線送受信サーバとは、ＮｏｄｅＢとユーザデータの送受信が可能な内線送受信サーバをいう。そのため、ＮｏｄｅＢと接続する内線送受信サーバが配置されていない場合だけでなく、ＮｏｄｅＢと接続する内線送受信サーバが配置されているが、障害が発生していて送受信ができない場合には、ＮｏｄｅＢに接続している内線送受信サーバがないことになる。このような内線送受信サーバ接続情報によれば、ＮｏｄｅＢとユーザデータの送受信が可能な内線送受信サーバが存在するか否かを判断できる。尚、内線送受信サーバが存在しない無線アクセスネットワークもある。
【００５９】
内線送受信判断部６６は、内線送受信によりユーザデータを送受信するか否かを判断する。内線送受信判断部６６は、ユーザデータを内線送受信により送受信すると判断した場合、内線送受信に使用する内線送受信サーバを選択する。即ち、内線送受信判断部６６は、ＮｏｄｅＢがユーザデータを送受信すべき内線送受信サーバを選択する。
【００６０】
内線送受信判断部６６は、判断情報に基づいて内線送受信によりユーザデータを送受信するか否かを判断したり、内線送受信に使用する内線送受信サーバを選択したりする。内線送受信判断部６６は、ＮｏｄｅＢとユーザデータの送受信が可能な内線送受信サーバの有無を、判断情報として用いる。具体的には、内線送受信判断部６６は、制御信号処理部６３から、ユーザデータの送信を要求する通信元のＭＳが接続するＮｏｄｅＢの識別情報と、通信先のＭＳが接続するＮｏｄｅＢの識別情報を取得する。内線送受信判断部６６は、内線送受信サーバ接続情報ＤＢ６５を参照する。そして、内線送受信判断部６６は、取得したＮｏｄｅＢの識別情報に基づいて、内線送受信サーバ接続情報ＤＢ６５を検索し、ＮｏｄｅＢと接続している内線送受信サーバが存在するか否かを判断する。
【００６１】
内線送受信判断部６６は、通信元のＭＳが接続しているＮｏｄｅＢと接続している内線送受信サーバ、又は、通信先のＭＳが接続しているＮｏｄｅＢと接続している内線送受信サーバのいずれかが存在しないと判断した場合には、内線送受信によるユーザデータの送受信を行わないと判断する。そして、この場合、内線送受信判断部６６は、ＭＳＣ６０を介したユーザデータの送受信を行うと決定する。一方、内線送受信判断部６６は、通信元のＭＳが接続しているＮｏｄｅＢと接続している内線送受信サーバと、通信先のＭＳが接続しているＮｏｄｅＢと接続している内線送受信サーバが共に存在すると判断した場合には、内線送受信によるユーザデータの送受信を行うと判断する。そして、内線送受信判断部６６は、内線送受信に使用する内線送受信サーバを選択する。ＮｏｄｅＢと接続する内線送受信サーバが複数存在する場合には、内線送受信サーバのトラヒック状況や処理能力などに基づいて、選択する。
【００６２】
そして、内線送受信判断部６６は、選択した内線送受信サーバのＩＰアドレスを取得する。内線送受信判断部６６は、判断結果を制御信号処理部６３に入力する。判断結果には、内線送受信によるユーザデータの送受信を行うか否かだけでなく、ＭＳＣ６０を介したユーザデータの送受信を行うといった決定や、選択した内線送受信サーバのＩＰアドレスなども含まれる。
【００６３】
対ＲＮＣインターフェース６１は、ＲＮＣ４０ａ，４０ｂと、ユーザデータや制御データを送受信する。対ＲＮＣインターフェース６１は、内線送受信制御データとして、内線送受信判断部６６による判断結果を送信し、判断結果を送信する判断結果送信部として機能する。対ＲＮＣインターフェース６１は、ＲＮＣ４０ａ，４０ｂを介して、ユーザデータの送信を要求する通信元のＭＳが接続するＮｏｄｅＢと、通信先のＭＳが接続するＮｏｄｅＢと、内線送受信サーバに、判断結果を送信する。
【００６４】
制御信号処理部６３は、対ＲＮＣインターフェース６１が送受信する制御データを処理する。具体的には、制御信号処理部６３は、対ＲＮＣインターフェース６１が受信した移動局制御データの通信先を識別する識別情報を取得する。制御信号処理部６３は、対ＨＬＲインターフェース６２に、通信先の識別情報を通知し、通信先のＭＳの加入者情報を提供するように指示する。そして、制御信号処理部６３は、対ＨＬＲインターフェース６２から、加入者情報として、通信先のＭＳに接続しているＮｏｄｅＢの識別情報を取得する。制御信号処理部６３は、取得したＮｏｄｅＢの識別情報に基づいて、対ＲＮＣインターフェース６１に、受信した移動局制御データを、取得したＮｏｄｅＢに接続するＲＮＣに送信するように指示する。尚、制御信号処理部６３は、ＮｏｄｅＢとＲＮＣとの接続関係を予め保持している。
【００６５】
又、制御信号処理部６３は、移動局制御データが、ＭＳがユーザデータの送信を要求する発信要求の場合には、発信要求の通信元、通信先を識別する識別情報を取得する。制御信号処理部６３は、対ＨＬＲインターフェース６２に、通信元、通信先の識別情報を通知し、通信元、通信先のＭＳの加入者情報を提供するように指示する。そして、制御信号処理部６３は、対ＨＬＲインターフェース６２から、加入者情報として、通信元、通信先のＭＳに接続しているＮｏｄｅＢの識別情報を取得する。
【００６６】
制御信号処理部６３は、通信元、通信先のＭＳが接続するＮｏｄｅＢの識別情報を、内線送受信判断部６６に入力する。そして、制御信号処理部６３は、内線送受信判断部６６から、判断結果を取得する。制御信号処理部６３は、取得した判断結果を対ＲＮＣインターフェース６１に入力し、ＲＮＣ４０ａ，４０ｂを介して、発信要求の通信元のＭＳが接続するＮｏｄｅＢと、通信先のＭＳが接続するＮｏｄｅＢと、内線送受信サーバに、判断結果を送信するよう指示する。
【００６７】
ユーザデータ処理部６４は、対ＲＮＣインターフェース６１が送受信するユーザデータを処理する。具体的には、ユーザデータ処理部６４は、対ＲＮＣインターフェース６１が受信したユーザデータの通信先を識別する識別情報を取得する。ユーザデータ処理部６４は、対ＨＬＲインターフェース６２に、通信先の識別情報を通知し、通信先のＭＳの加入者情報を提供するように指示する。そして、ユーザデータ処理部６４は、対ＨＬＲインターフェース６２から、加入者情報として、通信先のＭＳに接続しているＮｏｄｅＢの識別情報を取得する。ユーザデータ処理部６４は、取得したＮｏｄｅＢの識別情報に基づいて、対ＲＮＣインターフェース６１に、受信したユーザデータを、取得したＮｏｄｅＢに接続するＲＮＣに送信するように指示する。
【００６８】
対ＨＬＲインターフェース６２は、制御信号処理部６３やユーザデータ処理部６４の制御に従って、ＨＬＲ７０を参照する。具体的には、対ＨＬＲインターフェース６２は、制御信号処理部６３やユーザデータ処理部６４から、ＭＳの識別情報の通知を受ける。対ＨＬＲインターフェース６２は、ＨＬＲ７０に加入者情報の要求を送信する。加入者情報の要求には、通知されたＭＳの識別情報が含まれる。そして、対ＨＬＲインターフェース６２は、要求に対する加入者情報をＨＬＲ７０から受信する。対ＨＬＲインターフェース６２は、例えば、ＭＳが接続するＮｏｄｅＢの識別情報などを加入者情報として受信する。対ＨＬＲインターフェース６２は、取得した加入者情報を、制御信号処理部６３やユーザデータ処理部６４に入力する。
【００６９】
図７に示すように、ＨＬＲ７０は、対ＭＳＣインターフェース７１と、加入者情報データベース（以下「加入者情報ＤＢ」と表す）７２とを備える。加入者情報ＤＢ７２は、加入者情報を保持する。加入者情報ＤＢ７２は、加入者情報として、ＭＳと、そのＭＳが接続しているＮｏｄｅＢとの対応関係である位置登録情報、ＭＳの認証情報などの通信を行うための情報を保持する。尚、ＭＳと、そのＭＳが接続しているＮｏｄｅＢとは、例えば、ＭＳとＮｏｄｅＢの識別情報を用いて対応付けておくことができる。
【００７０】
対ＭＳＣインターフェース７１は、ＭＳＣ６０からの要求に従って、加入者情報をＭＳＣ６０に提供する。具体的には、対ＭＳＣインターフェース７１は、ＭＳＣ６０から、ＭＳの識別情報を含む加入者情報の要求を受信する。対ＭＳＣインターフェース７１は、ＭＳの識別情報に基づいて、加入者情報ＤＢ７２を検索し、該当する加入者情報を取得する。対ＭＳＣインターフェース７１は、例えば、ＭＳが接続するＮｏｄｅＢの識別情報などを加入者情報として取得する。対ＭＳＣインターフェース７１は、取得した加入者情報を、ＭＳＣ６０に送信する。
【００７１】
尚、移動体通信システム１００では、コネクションレス型の通信が行われる。そのため、全ての装置、即ち、ＭＳ１０ａ，１０ｂ、ＮｏｄｅＢ２０ａ，２０ｂ、内線送受信サーバ３０、ＲＮＣ４０ａ，４０ｂ、ＭＳＣ６０、ＨＬＲ７０は、コネクションレス型の通信で、データを送受信する。これによれば、移動体通信システム１００の構築や拡張が容易となる。更に、移動体通信システム１００は、装置間の通信路や装置自体に障害が発生した際に、容易に障害発生部分を迂回することができ、信頼性を向上できる。又、全ての装置、即ち、ＭＳ１０ａ，１０ｂ、ＮｏｄｅＢ２０ａ，２０ｂ、内線送受信サーバ３０、ＲＮＣ４０ａ，４０ｂ、ＭＳＣ６０、ＨＬＲ７０は、制御データを制御信号として送受信する。
【００７２】
（通信方法）
移動体通信システム１００を用いた通信方法について、図８を用いて説明する。まず、ＭＳ１０ａが、ＮｏｄｅＢ２０ａ、ＲＮＣ４０ａを介して、ＭＳＣ６０に、ＭＳ１０ｂへのユーザデータの送信を要求する発信要求を送信する（Ｓ１０１）。ＭＳＣ６０は、ＨＬＲ７０を参照して、位置登録情報から、通信元のＭＳ１０ａと通信先のＭＳ１０ｂがそれぞれ接続しているＮｏｄｅＢ２０ａ，２０ｂの識別情報を、加入者情報として取得する（Ｓ１０２）。これにより、ＭＳＣ６０は、ＭＳ１０ａ，１０ｂそれぞれと、ＮｏｄｅＢ２０ａ，２０ｂとが接続していることを検出する。
【００７３】
そして、ＭＳＣ６０は、ＮｏｄｅＢ２０ａ，２０ｂの識別情報に基づいて、ＮｏｄｅＢ２０ａ，２０ｂの内線送受信サーバ接続情報を参照する。これにより、ＭＳＣ６０は、ＭＳ１０ａが接続するＮｏｄｅＢ２０ａが内線送受信サーバ３０と接続し、ＭＳ１０ｂが接続するＮｏｄｅＢ２０ｂが内線送受信サーバ３０と接続していることを検出する。ＭＳＣ６０は、ＮｏｄｅＢ２０ａ，２０ｂと接続している内線送受信サーバ３０が共に存在するため、内線送受信によるユーザデータの送受信を行うと判断し、内線送受信に使用する内線送受信サーバとして、内線送受信サーバ３０を選択する（Ｓ１０３）。
【００７４】
次に、ＭＳＣ６０は、ＲＮＣ４０ｂにＭＳ１０ｂを呼び出すよう指示する（Ｓ１０４）。ＲＮＣ４０ｂは、指示を受けて、ＭＳ１０ｂを呼び出し、ＭＳ１０ｂがその呼び出し対して応答する（Ｓ１０５）。ＲＮＣ４０ｂは、ＭＳＣ６０に、呼び出し応答を受けたことを通知する（Ｓ１０６）。ＭＳＣ６０は、呼び出し応答を受けると、内線送受信サーバ３０に、ＭＳ１０ａ，１０ｂ間で送受信されるユーザデータについて、内線送受信による送受信を実施することを通知する（Ｓ１０７）。更に、ＭＳＣ６０は、通信先のＭＳ１０ｂが接続するＮｏｄｅＢ２０ｂと、通信元のＭＳ１０ａが接続するＮｏｄｅＢ２０ａそれぞれに、内線送受信による送受信を実施することと、内線送受信に使用する内線送受信サーバ３０のＩＰアドレスとを通知する（Ｓ１０８）、（Ｓ１０９）。
【００７５】
以上の処理により、ＭＳ１０ａとＭＳ１０ｂとの間で通信が開始される（Ｓ１１０）。通信開始後、通信元のＭＳ１０ａは、ＮｏｄｅＢ２０ａにユーザデータを送信する（Ｓ１１１）。ＮｏｄｅＢ２０ａは、ＭＳ１０ａから受信したユーザデータの送信先ＩＰアドレスを内線送受信サーバ３０のＩＰアドレスに変換したり、受信したユーザデータを内線送受信サーバ３０のＩＰアドレスでカプセル化したりして、内線送受信サーバ３０に送信する（Ｓ１１２）。内線送受信サーバ３０は、ＮｏｄｅＢ２０ａから受信したユーザデータの送信先ＩＰアドレスを、通信先のＭＳ１０ｂのＩＰアドレスに逆変換したり、受信したユーザデータをディカプセル化したりして、内線送受信によりＮｏｄｅＢ２０ｂに直接送信する（Ｓ１１３）。ステップ（Ｓ１１３）では、ユーザデータは、ＲＮＣ４０ａ，ＲＮＣ４０ｂ，ＭＳＣ６０を経由せずに送受信される。ＮｏｄｅＢ２０ｂは、受信したユーザデータを、ＭＳ１０ｂに送信する（Ｓ１１４）。
【００７６】
よって、移動体通信システム１００において内線送受信によりユーザデータを送受信した場合のユーザデータの経路Ａは、図９に示すようになる。ユーザデータは、ＭＳＣ６０を経由せずに、ＭＳ１０ａ、ＮｏｄｅＢ２０ａ、内線送受信サーバ３０、ＮｏｄｅＢ２０ｂ、ＭＳ１０ｂを経由する経路Ａにより、送受信される。即ち、通信元のＭＳ１０ａと接続する通信元のＮｏｄｅＢ２０ａが、通信元のＭＳ１０ａから送信されたユーザデータを受信し、ＭＳＣ６０を介さずに、内線送受信サーバ３０に送信し、内線送受信サーバ３０は、通信元のＮｏｄｅＢ２０ａからユーザデータを受信し、通信先のＭＳ１０ｂと接続する通信先のＮｏｄｅＢ２０ｂに送信し、通信先のＮｏｄｅＢ２０ｂが、内線送受信サーバ３０からユーザデータを受信して、通信先のＭＳ１０ｂに送信する。よって、通信元のＭＳ１０ａから送信されたデータは、無線アクセスネットワーク５０内の経路Ａを経由して、通信先のＭＳ１０ｂに到達する。
【００７７】
尚、ステップ（Ｓ１１０）により通信開始後、ＮｏｄｅＢ２０ａ，２０ｂは、ＭＳＣ６０を介して、ＭＳ１０ａ，１０ｂ間で送受信される移動局制御データを送受信する。よって、ＭＳ１０ａ，１０ｂ間で送受信される移動局制御データは、ＭＳＣ６０を介して送受信される。即ち、移動局制御データは、ＭＳ１０ａ、ＮｏｄｅＢ２０ａ、ＲＮＣ４０ａ、ＭＳＣ６０、ＲＮＣ４０ｂ、ＮｏｄｅＢ２０ｂ、ＭＳ１０ｂを経由する経路により、送受信される。
【００７８】
（効果）
このような移動体通信システム１００、ＮｏｄｅＢ２０ａ，２０ｂ、内線送受信サーバ３０、ＭＳＣ６０及び通信方法によれば、ユーザデータを、ＮｏｄｅＢ２０ａ，２０ｂと内線送受信サーバ３０との間で、内線送受信により送受信できる。詳細には、内線送受信サーバ３０の対ＮｏｄｅＢインターフェース３１が、ユーザデータをＮｏｄｅＢ２０ａ，２０ｂとの間で、内線送受信により送受信し、ＮｏｄｅＢ２０ａ，２０ｂの対内線送受信サーバインターフェース２３が、ユーザデータを内線送受信サーバ３０と、内線送受信により送受信できる。
【００７９】
そのため、移動体通信システム１００では、ユーザデータを、無線アクセスネットワーク５０の外にあるＭＳＣ６０を介さずに、送受信できる。通常、ＭＳＣ６０は、機能を集約するために、ＮｏｄｅＢ２０ａ，２０ｂと離れた場所に設置されることが多いが、移動体通信システム１００では、ＭＳＣ６０を介さないことで、ユーザデータをＮｏｄｅＢ２０ａ，２０ｂに近い場所で送受信できる。よって、移動体通信システム１００は、ユーザデータの経路を、図９に示すように短縮できる。その結果、移動体通信システム１００は、ＭＳＣ６０を経由する経路分の回線利用料を削減でき、その経路分の遅延を短縮できる。又、全てのユーザデータがＭＳＣ６０を含む冗長な経路を経由することに伴い必要であった多くの回線を敷設する必要もない。
【００８０】
しかも、ＮｏｄｅＢ２０ａ，２０ｂは、移動局制御データを、ＭＳＣ６０を介して送受信する。そのため、ＭＳ１０ａ，１０ｂ間で送受信される移動局制御データは、ＭＳＣ６０を介して送受信される。よって、動体通信システム１００は、ＭＳＣ６０が本来有している制御データを集約して処理する機能を活用でき、集約効果を得ることができる。又、分散移動交換局と集約移動交換局を設置するのではなく、ＭＳＣ６０を用いているため、移動交換局の機能を集約して移動体通信システム１００の機能が冗長となることを防止でき、冗長分のコスト増加を避けることができる。
【００８１】
又、ＮｏｄｅＢ２０ａ，２０ｂは、対ＲＮＣインターフェース２２、対内線送受信サーバインターフェース２３、制御信号処理部２４、ユーザデータ処理部２５を備える。そのため、ＮｏｄｅＢ２０ａ，２０ｂは、ＭＳ１０ａ，１０ｂから受信したデータがユーザデータの場合には、対内線送受信サーバインターフェース２３を用いてユーザデータを内線送受信により送信するように制御できる。一方、ＮｏｄｅＢ２０ａ，２０ｂは、ＭＳ１０ａ，１０ｂから受信したデータが移動局制御データの場合には、対ＲＮＣインターフェース２２を用いて移動局制御データをＭＳＣ６０を介して送信するように制御できる。そのため、ＮｏｄｅＢ２０ａ，２０ｂは、ユーザデータについては、内線送受信により送受信し、移動局制御データについては、ＭＳＣ６０を介して送受信できる。よって、ＮｏｄｅＢ２０ａ，２０ｂは、ユーザデータの経路を短縮できると同時に、ＭＳＣ６０が本来有している移動局制御データを集約して処理する機能を活用できる。
【００８２】
更に、移動体通信システム１００、ＭＳＣ６０は、内線送受信によりユーザデータを送受信するか否かを判断する内線送受信判断部６６を備える。そのため、移動体通信システム１００は、ユーザデータの送受信に一律に内線送受信を使用するのではなく、状況に応じて内線送受信を使い分けることができる。
【００８３】
特に、内線送受信判断部６０が、ＮｏｄｅＢとユーザデータの送受信が可能な内線送受サーバの有無に基づいて判断する場合には、例えば、ＮｏｄｅＢと接続する内線送受信サーバがない、ＮｏｄｅＢと接続する内線送受信サーバに障害が発生しているといったユーザデータを送受信する際の移動体通信システム１００における状況に応じて、内線送受信を使用するか否かを判断できる。しかも、内線送受信判断部６６は、ユーザデータを内線送受信により送受信するか否かを決定した時に、内線送受信に使用する内線送受信サーバを選択できる。
【００８４】
よって、移動体通信システム１００は、内線送受信とＭＳＣ６０を介した送受信や、使用する内線送受信サーバ３０を、ユーザデータを送受信する際の移動体通信システム１００における状況に応じて、柔軟に使い分けることができる。そのため、移動体通信システム１００では、例えば、内線送受信サーバの障害発生などにも柔軟に対応できる。
【００８５】
［第２の実施の形態］
（移動体通信システム）
図１０に示すように、移動体通信システム２００は、ＭＳ２１０ａ，２１０ｂと、無線アクセスネットワーク２５０ａ，２５０ｂと、コアネットワーク８０とを備える。移動体通信システム２００では、複数の無線アクセスネットワーク２５０ａ，２５０ｂが、移動体通信システム２００における無線アクセスネットワークを形成している。無線アクセスネットワーク２５０ａは、ＮｏｄｅＢ２２０ａと、内線送受信サーバ２３０ａと、ＲＮＣ２４０ａとを備える。無線アクセスネットワーク２５０ｂは、ＮｏｄｅＢ２２０ｂと、内線送受信サーバ２３０ｂと、ＲＮＣ２４０ｂとを備える。ＭＳ２１０ａ，２１０ｂ、ＲＮＣ２４０ａ，２４０ｂ、ＨＬＲ７０は、図１に示したＭＳ１０ａ，１０ｂ、ＲＮＣ４０ａ，４０ｂ、ＨＬＲ７０と実質的に同様である。
【００８６】
内線送受信サーバ２３０ａ，２３０ｂは、ＭＳ２１０ａ，２１０ｂ間で送受信されるユーザデータを、無線アクセスネットワーク２５０内でデータを送受信する内線送受信により、それぞれＮｏｄｅＢ２２０ａ，２２０ｂと送受信する内線送受信装置である。内線送受信サーバ２３０ａは、ＮｏｄｅＢ２２０ａ、ＲＮＣ２４０ａ、内線送受信サーバ２３０ｂと接続する。内線送受信サーバ２３０ｂは、ＮｏｄｅＢ２２０ｂ、ＲＮＣ２４０ｂ、内線送受信サーバ２３０ａと接続する。そして、内線送受信サーバ２３０ａ，２３０ｂはそれぞれ、ＮｏｄｅＢ２２０ａ，２２０ｂと、ユーザデータ及び内線送受信制御データを送受信する。内線送受信サーバ２３０ａ，２３０ｂはそれぞれ、ＲＮＣ２４０ａ，２４０ｂと、内線送受信制御データを送受信する。更に、内線送受信サーバ２３０ａは、内線送受信サーバ２３０ｂと、ユーザデータ及び内線送受信制御データを送受信する。又、内線送受信サーバ２３０ｂは、内線送受信サーバ２３０ａと、ユーザデータ及び内線送受信制御データを送受信する。
【００８７】
図１１に示すように、内線送受信サーバ２３０ｂは、対ＮｏｄｅＢインターフェース２３１と、対ＲＮＣインターフェース２３２と、制御信号処理部２３３と、ユーザデータ処理部２３４と、対内線送受信サーバインターフェース２３５とを備える。
【００８８】
対内線送受信サーバインターフェース２３５は、ＭＳ２１０ａ，２１０ｂ間で送受信されるユーザデータを、無線アクセスネットワーク２５０ａ，２５０ｂ内でデータを送受信する内線送受信により、他の内線送受信装置である内線送受信サーバ２３０ａと送受信する内線送受信部である。内線送受信は、無線アクセスネットワーク２５０ａ，２５０ｂ内でデータを送受信することをいう。そのため、内線送受信には、図１０に示すような複数の無線アクセスネットワーク２５０ａ，２５０ｂが形成する無線アクセスネットワーク内でデータを送受信する形もある。この場合の内線送受信では、移動体通信システム１００の無線アクセスネットワークを形成する複数の無線アクセスネットワーク２５０ａ，２５０ｂをまたがって、データの送受信が行われる。
【００８９】
対内線送受信サーバインターフェース２３５は、内線送受信サーバ２３０ａと、ユーザデータや内線送受信制御データを送受信する。対ＮｏｄｅＢインターフェース２３１は、基地局送受信部である。対ＮｏｄｅＢインターフェース２３１は、ＮｏｄｅＢ２２０ｂと、ユーザデータや内線送受信制御データを送受信する。対ＲＮＣインターフェース２３２は、ＲＮＣ２４０ｂと内線送受信制御データを送受信する。
【００９０】
制御信号処理部２３３は、対ＮｏｄｅＢインターフェース２３１、対ＲＮＣインターフェース２３２、対内線送受信サーバインターフェース２３５が送受信する内線送受信制御データを処理する。例えば、制御信号処理部２３３は、対ＲＮＣインターフェース２３２が受信した内線送受信制御データを、対ＲＮＣインターフェース２３２から取得する。制御信号処理部２３３は、取得した内線送受信制御データに基づいて、ユーザデータ処理部２３４を制御する。
【００９１】
例えば、制御信号処理部２３３は、ＭＳ２１０ａ，２１０ｂ間で送受信されるユーザデータについて、内線送受信による送受信の実施と、ユーザデータの通信先となる内線送受信サーバ２３０ａのＩＰアドレスの通知を取得した場合、ユーザデータ処理部２３４に、内線送受信サーバ２３０ａから受信したＭＳ２１０ａが通信元、ＭＳ２１０ｂが通信先であるユーザデータは、ＭＳ２１０ｂと接続するＮｏｄｅＢ２２０ｂに送信するように指示する。又、制御信号処理部２３３は、ユーザデータ処理部２３４に、ＮｏｄｅＢ２２０ｂから受信したＭＳ２１０ｂが通信元、ＭＳ２１０ａが通信先であるユーザデータは、内線送受信サーバ２３０ａに送信するように指示する。このようにして、制御信号処理部２３３は、ユーザデータ処理部２３４に、ユーザデータを内線送受信により送受信するよう指示をする。又、制御信号処理部２３３は、内線送受信制御データを生成し、対ＮｏｄｅＢインターフェース２３１や対ＲＮＣインターフェース２３２、対内線送受信サーバインターフェース２３５に入力する。
【００９２】
ユーザデータ処理部２３４は、対内線送受信サーバインターフェース２３５、対ＮｏｄｅＢインターフェース２３１が行うユーザデータの送受信を制御する。ユーザデータ処理部２３４は、制御信号処理部２３３の制御に従って、対内線送受信サーバインターフェース２３５に対して、通信元のＭＳ２１０ｂに接続するＮｏｄｅＢ２２０ｂから受信したユーザデータを、内線送受信サーバ２３０ａに送信するように指示する。具体的には、ユーザデータ処理部２３４は、対ＮｏｄｅＢインターフェース２３１から、受信したユーザデータを取得する。
【００９３】
ユーザデータ処理部２３４は、ユーザデータが、内線送受信サーバ２３０ｂのＩＰアドレスでカプセル化されている場合には、取得したユーザデータをディカプセル化する。ユーザデータ処理部２３４は、ディカプセル化後のユーザデータの通信元、通信先を識別する識別情報を取得する。ユーザデータ処理部２３４は、ユーザデータの送信先ＩＰアドレスが、内線送受信サーバ２３０ｂのＩＰアドレスに変換されている場合には、ユーザデータから、通信先のＭＳ２１０ａのＩＰアドレスを取得し、取得したユーザデータの送信先ＩＰアドレスを、通信先のＭＳ２１０ａのＩＰアドレスに逆変換する。ユーザデータ処理部２３４は、逆変換後のユーザデータの通信元、通信先を識別する識別情報を取得する。
【００９４】
ユーザデータ処理部２３４は、取得したユーザデータの通信元、通信先の識別情報と、制御信号処理部２３３からの指示とに基づいて、受信したユーザデータを送信する通信先を、内線送受信サーバ２３０ａと判断する。そして、ユーザデータ処理部２３３は、その判断結果に基づいて、ユーザデータを内線送受信サーバ２３０ａに送信するように、対内線送受信サーバインターフェース２３５に指示する。このとき、ユーザデータ処理部２３４は、ユーザデータの送信先ＩＰアドレスを、通信先のＭＳ２１０ａのＩＰアドレスから、通知された内線送受信サーバ２３０ａのＩＰアドレスに変換する。あるいは、ユーザデータ処理部２３４は、ユーザデータを、通知された内線送受信サーバ２３０ａのＩＰアドレスでカプセル化したりする。その後、ユーザデータ処理部２３４は、対内線送受信サーバインターフェース２３５に、ユーザデータを入力する。尚、ユーザデータの送信先ＩＰアドレスを変換した場合には、通信先のＭＳ２１０ａのＩＰアドレスをユーザデータ内に記録しておく。
【００９５】
又、ユーザデータ処理部２３４は、制御信号処理部２３３の制御に従って、対内ＮｏｄｅＢインターフェース２３１に対して、内線送受信サーバ２３０ａから受信したユーザデータを、ＮｏｄｅＢ２２０ｂに送信するように指示する。具体的には、ユーザデータ処理部２３４は、対内線送受信サーバインターフェース２３５から、受信したユーザデータを取得する。
【００９６】
ユーザデータ処理部２３４は、ユーザデータが、内線送受信サーバ２３０ｂのＩＰアドレスでカプセル化されている場合には、取得したユーザデータをディカプセル化する。ユーザデータ処理部２３４は、ディカプセル化後のユーザデータの通信元、通信先を識別する識別情報を取得する。ユーザデータ処理部２３４は、ユーザデータの送信先ＩＰアドレスが、内線送受信サーバ２３０ｂのＩＰアドレスに変換されている場合には、ユーザデータから、通信先のＭＳ２１０ａのＩＰアドレスを取得し、取得したユーザデータの送信先ＩＰアドレスを、通信先のＭＳ２１０ａのＩＰアドレスに逆変換する。ユーザデータ処理部２３４は、逆変換後のユーザデータの通信元、通信先を識別する識別情報を取得する。
【００９７】
ユーザデータ処理部２３４は、取得したユーザデータの通信元、通信先の識別情報と、制御信号処理部２３３からの指示とに基づいて、受信したユーザデータを送信する通信先を、通信先のＭＳ２１０ｂが接続するＮｏｄｅＢ２２０ｂと判断する。そして、ユーザデータ処理部２３３は、その判断結果に基づいて、ユーザデータをＮｏｄｅＢ２２０ｂに送信するように、対ＮｏｄｅＢインターフェース２３１に指示する。
【００９８】
尚、内線送受信サーバ２３０ａも、内線送受信サーバ２３０ｂと同様の構成を備える。内線送受信サーバ２３０ａの場合、対ＮｏｄｅＢインターフェース２３１は、ＮｏｄｅＢ２２０ａとユーザデータや内線送受信制御データを送受信する。対ＲＮＣインターフェース２３２は、ＲＮＣ２４０ａと内線送受信制御データを送受信する。対内線送受信サーバインターフェース２３５は、内線送受信サーバ２３０ｂと、ユーザデータや内線送受信制御データを送受信する。
【００９９】
ＮｏｄｅＢ２２０ａ，２２０ｂの構成は、図２に示したＮｏｄｅＢ２０ａの構成と実質的に同様である。但し、ＮｏｄｅＢ２２０ａ，２２０ｂは、ＮｏｄｅＢ２２０ａ，２２０ｂにおけるトラヒック状況を、判断情報としてＭＳＣ６０に通知する。具体的には、制御信号処理部２４が、無線送受信部２１から、無線チャネルの使用状況や無線リソースの使用状況など、ＮｏｄｅＢのトラヒック状況を示す情報を取得する。無線リソースの使用状況には、送信電力、周波数、タイムスロットの使用状況などがある。制御信号処理部２４は、取得した無線チャネルや無線リソースの使用状況に基づいて、無線チャネルの使用率や無線リソースの使用率を計算し、ＮｏｄｅＢにおけるトラヒック状況を示す判断情報を生成する。
【０１００】
制御信号処理部２４は、ＮｏｄｅＢにおけるトラヒック状況を示す判断情報を、対ＲＮＣインターフェース２２に入力する。対ＲＮＣインターフェース２２は、制御信号処理部４４から取得したＮｏｄｅＢにおけるトラヒック状況を示す判断情報を、ＲＮＣ２４０ａ，２４０ｂを介してＭＳＣ６０に送信する。このように、制御信号処理部２４は、トラヒック状況を取得するトラヒック状況取得部としても機能する。又、対ＲＮＣインターフェース２２は、判断情報を送信する判断情報送信部としても機能する。
【０１０１】
又、ＭＳＣ６０は、判断情報として、ＮｏｄｅＢとユーザデータの送受信が可能な内線送受信サーバの有無に加えて、無線アクセスネットワーク２５０ａ，２５０ｂにおけるトラヒック状況を用いる。ＭＳＣ６０は、無線アクセスネットワーク２５０ａ，２５０ｂにおけるトラヒック状況として、ＮｏｄｅＢにおけるトラヒック状況を用いる。具体的には、図５に示す対ＲＮＣインターフェース６１が、ＲＮＣ２４０ａ，２４０ｂを介して、ＮｏｄｅＢ２２０ａ，２２０ｂから、ＮｏｄｅＢにおけるトラヒック状況を示す判断情報を受信する。このように、対ＲＮＣインターフェース６１は、判断情報を受信する判断情報受信部としても機能する。対ＲＮＣインターフェース６１は、受信したトラヒック状況を示す判断情報を、制御信号処理部６３に入力する。制御信号処理部６３は、取得したトラヒック状況を示す判断情報を、内線送受信判断部６６に入力する。
【０１０２】
内線送受信判断部６６は、まず、内線送受信サーバ接続情報ＤＢ６５に保持された内線送受信サーバ接続情報に基づいて、ＮｏｄｅＢと接続している内線送受信サーバが存在するか否かを判断する。内線送受信判断部６６は、通信元のＭＳが接続しているＮｏｄｅＢと接続している内線送受信サーバと、通信先のＭＳが接続しているＮｏｄｅＢと接続している内線送受信サーバが共に存在すると判断した場合には、通信元、通信先のＭＳが接続しているＮｏｄｅＢにおけるトラヒック状況に基づいて、内線送受信によるユーザデータの送受信を行うか否かを判断する。
【０１０３】
内線送受信判断部６６は、内線送受信によるユーザデータの送受信を行うか否かを判断する基準となる無線アクセスネットワーク２５０ａ，２５０ｂにおけるトラヒック状況の許容閾値（以下「内線トラヒック許容閾値」という）を保持する。内線トラヒック許容閾値は、予め設定して内線送受信判断部６６が保持しておいてもよく、内線送受信判断部６６が適宜設定、変更して、保持してもよい。
【０１０４】
図１２に、トラヒック状況を示す判断情報として、チャネル使用率を用いた場合の各ＮｏｄｅＢのトラヒック状況と、内線トラヒック許容閾値を示す。図１２では、内線トラヒック許容閾値は８０％に設定されている。又、ＮｏｄｅＢ２２０ａのＮｏｄｅＢ名は、「ＮｏｄｅＢ０１」であり、ＮｏｄｅＢ２２０ｂのＮｏｄｅＢ名は、「ＮｏｄｅＢ０２」である。よって、ＮｏｄｅＢ２２０ａにおけるチャネル使用率は３０％であり、ＮｏｄｅＢ２２０ｂにおけるチャネル使用率は１０％である。尚、内線トラヒック許容閾値は、無線アクセスネットワーク毎や、ＲＮＣ毎、内線送受信サーバ毎、ＮｏｄｅＢ毎に設定できる。
【０１０５】
内線送受信判断部６６は、制御信号処理部６３から取得したＮｏｄｅＢのトラヒック状況を示す判断情報と、内線トラヒック許容閾値とを比較することにより、内線送受信によるユーザデータの送受信を行うか否かを判断する。内線送受信判断部６６は、通信元、通信先のＭＳが接続しているＮｏｄｅＢにおけるトラヒック状況が、内線トラヒック許容閾値以下の場合には、内線送受信によるユーザデータの送受信を行うと判断する。そして、内線送受信判断部６６は、内線送受信に使用する内線送受信サーバを選択する。ＮｏｄｅＢと接続する内線送受信サーバが複数存在する場合には、内線送受信サーバのトラヒック状況や処理能力などに基づいて、選択する。
【０１０６】
一方、内線送受信判断部６６は、通信元のＭＳが接続しているＮｏｄｅＢと接続している内線送受信サーバ、又は、通信先のＭＳが接続しているＮｏｄｅＢと接続している内線送受信サーバのいずれかが存在しないと判断した場合、通信元、通信先のＭＳが接続しているＮｏｄｅＢにおけるトラヒック状況が、内線トラヒック許容閾値を越える場合には、内線送受信によるユーザデータの送受信を行わないと判断する。更に、内線送受信判断部６６は、ＭＳＣ６０を介したユーザデータの送受信を行うか、ユーザデータの送受信自体を行わないかを判断する。
【０１０７】
例えば、内線送受信判断部６６は、ユーザデータの送受信自体を行うか否かを判断する基準となる無線アクセスネットワークにおけるトラヒック状況の許容閾値（以下「通信トラヒック許容閾値」という）を保持する。そして、内線送受信判断部６６は、制御信号処理部６３から取得したトラヒック状況を示す判断情報と、通信トラヒック許容閾値とを比較することにより、ＭＳＣ６０を介したユーザデータの送受信を行うか、ユーザデータの送受信自体を行わないかを判断する。内線送受信判断部６６は、通信元、通信先のＭＳが接続しているＮｏｄｅＢにおけるトラヒック状況が、通信トラヒック許容閾値以下の場合には、ＭＳＣ６０を介したユーザデータの送受信を行うと判断し、通信トラヒック許容閾値を越える場合には、ユーザデータの送受信自体を行わないと判断する。そして、内線送受信判断部６６は、判断結果を制御信号処理部６３に入力する。
【０１０８】
（通信方法）
移動体通信システム２００を用いた通信方法について、図１３を用いて説明する。まず、ＭＳ２１０ａが、ＮｏｄｅＢ２２０ａ、ＲＮＣ２４０ａを介して、ＭＳＣ６０に、ＭＳ２１０ｂへのユーザデータの送信を要求する発信要求を送信する（Ｓ２０１）。ＭＳ２１０ａからの発信要求を中継したＮｏｄｅＢ２２０ａは、ＮｏｄｅＢ２２０ａにおけるトラヒック状況を、ＭＳＣ６０に通知する（Ｓ２０２）。ＭＳＣ６０は、ＨＬＲ７０を参照して、通信元のＭＳ２１０ａと通信先のＭＳ２１０ｂがそれぞれ接続しているＮｏｄｅＢ２２０ａ，２２０ｂの識別情報を、加入者情報として取得する（Ｓ２０３）。これにより、ＭＳＣ６０は、ＭＳ２１０ａ，２１０ｂそれぞれと、ＮｏｄｅＢ２２０ａ，２２０ｂとが接続していることを検出する。
【０１０９】
そして、ＭＳＣ６０は、ＮｏｄｅＢ２２０ａ，２２０ｂの識別情報に基づいて、ＮｏｄｅＢ２２０ａ，２２０ｂの内線送受信サーバ接続情報を参照する。これにより、ＭＳＣ６０は、ＭＳ２１０ａが接続するＮｏｄｅＢ２２０ａが内線送受信サーバ２３０ａと接続し、ＭＳ２１０ｂが接続するＮｏｄｅＢ２２０ｂが内線送受信サーバ２３０ｂと接続していることを検出する（Ｓ２０４）。次に、ＭＳＣ６０は、ＲＮＣ２４０ｂにＭＳ２１０ｂを呼び出すよう指示する（Ｓ２０５）。ＲＮＣ２４０ｂは、指示を受けてＭＳ２１０ｂを呼び出し、ＭＳ２１０ｂがその呼び出し対して、ＮｏｄｅＢ２２０ｂを介して応答する（Ｓ２０６）。ＲＮＣ２４０ｂは、ＭＳＣ６０に、呼び出し応答を受けたことを通知する（Ｓ２０７）。
【０１１０】
更に、ＭＳ２１０ｂからの呼び出し応答を中継したＮｏｄｅＢ２２０ｂは、ＮｏｄｅＢ２２０ｂにおけるトラヒック状況を、ＭＳＣ６０に通知する（Ｓ２０８）。ＭＳＣ６０は、ステップ（Ｓ２０２）、（Ｓ２０８）において受信したＮｏｄｅＢ２２０ａ，２２０ｂにおけるトラヒック状況と、内線トラヒック許容閾値とを比較する。ＮｏｄｅＢ２２０ａ，２２０ｂにおけるトラヒック状況と、内線トラヒック許容閾値は、図１２に示した通りであるため、ＭＳＣ６０は、通信元、通信先のＭＳ２１０ａ，２１０ｂが接続しているＮｏｄｅＢ２２０ａ，２００ｂにおけるトラヒック状況は共に、内線トラヒック許容閾値以下であると判断する。よって、ＭＳＣ６０は、内線送受信によるユーザデータの送受信を行うと判断し、内線送受信に使用する内線送受信サーバとして、内線送受信サーバ２３０ａ，２３０ｂを選択する（Ｓ２０９）。
【０１１１】
そして、ＭＳＣ６０は、内線送受信サーバ２３０ａ，２３０ｂに、ＭＳ２１０ａ，２１０ｂ間で送受信されるユーザデータについて、内線送受信による送受信を実施することを通知する。更に、ＭＳＣ６０は、内線送受信サーバ２３０ｂには、ユーザデータの通信先となる内線送受信サーバ２３０ａのＩＰアドレスを、内線送受信サーバ２３０ａには、ユーザデータの通信先となる内線送受信サーバ２３０ｂのＩＰアドレスを、それぞれ通知する（Ｓ２１０）、（Ｓ２１１）。
【０１１２】
又、ＭＳＣ６０は、通信先のＭＳ２１０ｂが接続するＮｏｄｅＢ２２０ｂと、通信元のＭＳ２１０ａが接続するＮｏｄｅＢ２２０ａそれぞれに、内線送受信による送受信を実施することを通知する。更に、ＭＳＣ６０は、ＮｏｄｅＢ２２０ｂには、内線送受信に使用する内線送受信サーバ２３０ｂのＩＰアドレスを、ＮｏｄｅＢ２２０ａには、内線送受信に使用する内線送受信サーバ２３０ａのＩＰアドレスを、それぞれ通知する（Ｓ２１２）、（Ｓ２１３）。
【０１１３】
以上の処理により、ＭＳ２１０ａとＭＳ２１０ｂとの間で通信が開始される（Ｓ２１４）。通信開始後、通信元のＭＳ２１０ａは、ＮｏｄｅＢ２２０ａにユーザデータを送信する（Ｓ２１１）。ＮｏｄｅＢ２２０ａは、ＭＳ２１０ａから受信したユーザデータの送信先ＩＰアドレスを内線送受信サーバ２３０ａのＩＰアドレスに変換したり、受信したユーザデータを内線送受信サーバ２３０ａのＩＰアドレスでカプセル化したりして、内線送受信サーバ２３０ａに送信する（Ｓ２１６）。
【０１１４】
内線送受信サーバ２３０ａは、ＮｏｄｅＢ２２０ａから受信したユーザデータの通信先ＩＰアドレスを、内線送受信サーバ２３０ｂのＩＰアドレスに変換したり、受信したユーザデータを、内線送受信サーバ２３０ａのＩＰアドレスに代えて、内線送受信サーバ２３０ｂのＩＰアドレスでカプセル化したりして、内線送受信サーバ２３０ｂに送信する（Ｓ２１７）。ステップ（Ｓ２１７）では、ユーザデータは、ＲＮＣ２４０ａ，２４０ｂ、ＭＳＣ６０を経由せずに送受信される。
【０１１５】
内線送受信サーバ２３０ｂは、内線送受信サーバ２３０ａから受信したユーザデータの送信先ＩＰアドレスを、通信先のＭＳ２１０ｂのＩＰアドレスに逆変換したり、受信したユーザデータをディカプセル化したりして、内線送受信によりＮｏｄｅＢ２２０ｂに直接送信する（Ｓ２１８）。ＮｏｄｅＢ２２０ｂは、受信したユーザデータを、ＭＳ２１０ｂに送信する（Ｓ２１９）。
【０１１６】
よって、移動体通信システム２００において内線送受信によりユーザデータを送受信した場合のユーザデータの経路Ｂは、図１４に示すようになる。ユーザデータは、ＭＳＣ６０を経由せずに、ＭＳ２１０ａ、ＮｏｄｅＢ２２０ａ、内線送受信サーバ２３０ａ、内線送受信サーバ２３０ｂ、ＮｏｄｅＢ２２０ｂ、ＭＳ２１０ｂを経由する経路Ｂにより、送受信される。
【０１１７】
即ち、通信元のＭＳ２１０ａと、通信先のＭ２１０ｂがそれぞれ、異なる内線送受信サーバ２３０ａ，２３０ｂとユーザデータを送受信可能なＮｏｄｅＢ２２０ａ，２２０ｂに接続している場合、通信元のＭＳ２１０ａと接続する通信元のＮｏｄｅＢ２２０ａが、通信元のＭＳ２１０ａから送信されたユーザデータを受信し、ＭＳＣ６０を介さずに、通信元のＮｏｄｅＢ２２０ａとユーザデータの送受信が可能な通信元の内線送受信サーバ２３０ａに送信し、通信元の内線送受信サーバ２３０ａは、通信元のＮｏｄｅＢ２２０ａからユーザデータを受信し、通信先のＭＳ２１０ｂと接続する通信先のＮｏｄｅＢ２２０ｂとユーザデータの送受信が可能な通信先の内線送受信サーバ２３０ｂに送信し、通信先の内線送受信サーバ２３０ｂは、通信元の内線送受信サーバ２３０ａからユーザデータを受信し、通信先のＮｏｄｅＢ２２０ｂに送信し、通信先のＮｏｄｅＢ２２０ｂは、通信先の内線送受信サーバ２３０ｂからユーザデータを受信し、通信先のＭＳ２２０ｂに送信する。よって、通信元のＭＳ２１０ａから送信されたデータは、無線アクセスネットワーク２５０ａ，２５０ｂ内の経路Ｂを経由して、通信先のＭＳ２１０ｂに到達する。
【０１１８】
尚、ステップ（Ｓ２１４）により通信開始後、ＮｏｄｅＢ２２０ａ，２２０ｂは、ＭＳＣ６０を介して、ＭＳ２１０ａ，２１０ｂ間で送受信される移動局制御データを送受信する。よって、ＭＳ２１０ａ，２１０ｂ間で送受信される移動局制御データは、ＭＳＣ６０を介して送受信される。又、ステップ（Ｓ２０９）において、ＭＳＣ６０は、通信元、通信先のＭＳ２１０ａ，２１０ｂが接続しているＮｏｄｅＢ２２０ａ，２００ｂにおけるトラヒック状況のいずれかが、内線トラヒック許容閾値を越える場合には、内線送受信によるユーザデータの送受信を行わないと判断する。そのため、ＭＳＣ６０は、ＭＳＣ６０を介したユーザデータの送受信を行うか、ユーザデータの送受信自体を行わないかを判断する。ＭＳＣ６０は、ＮｏｄｅＢ２２０ａ，２２０ｂに、判断結果を通知する。
【０１１９】
ＮｏｄｅＢ２２０ａは、ＭＳＣ６０を介したユーザデータの送受信を行う通知を受けた場合には、ＭＳ２１０ａから受信したユーザデータを、ＲＮＣ２４０ａに送信する。ＲＮＣ２４０ａは、ＭＳＣ６０にユーザデータを送信する。そして、ＭＳＣ６０は、ＲＮＣ２４０ｂ、ＮｏｄｅＢ２２０ｂを介して、ＭＳ２１０ｂにユーザデータを送信する。又、ＮｏｄｅＢ２２０ａ，２２０ｂは、ユーザデータの送受信自体を行わないという通知を受けた場合には、ＭＳ２１０ａ，２０１ｂに、通信の切断を通知する。そして、ＭＳ２１０ａ，２１０ｂ、ＮｏｄｅＢ２２０ａ，２２０ｂ、ＲＮＣ２４０ａ，２４０ｂ、ＭＳＣ６０は、回線を切断する。
【０１２０】
（効果）
このような移動体通信システム２００、ＮｏｄｅＢ２２０ａ，２２０ｂ、内線送受信サーバ２３０ａ，２３０ｂ、ＭＳＣ６０及び通信方法によれば、図１に示したこ移動体通信システム１００、ＮｏｄｅＢ２０ａ，２０ｂ、内線送受信サーバ３０によって得られる効果に加えて、以下の効果を得ることができる。
【０１２１】
移動体通信システム２００は、複数の内線送受信サーバ２３０ａ，２３０ｂを備える。しかも、内線送受信サーバ２３０ａ，２３０ｂは、対内線送受信サーバインターフェース２３５を備え、ユーザデータを、内線送受信により他の内線送受信サーバ２３０ｂ，２３０ａと送受信できる。即ち、内線送受信サーバ２３０ａ，２３０ｂ同士が、ユーザデータを内線送受信により送受信できる。そのため、移動体通信システム２００は、ユーザデータを内線送受信により送受信できる範囲、即ち、内線送受信可能な領域を容易に拡大できる。よって、例えば、ユーザの利便性が向上する、ユーザの回線利用料の更なる削減が可能となるといった利点がある。
【０１２２】
又、移動体通信システム２００、ＭＳＣ６０によれば、内線送受信判断部６６が、無線アクセスネットワーク２５０ａ，２５０ｂにおけるトラヒック状況に基づいて、内線送受信によるユーザデータの送受信を行うか否かを判断する。そのため、内線送受信と、ＭＳＣ６０を介したユーザデータの送受信のいずれを行うかや、ユーザデータの送受信自体の可否について、無線アクセスネットワーク２５０ａ，２５０ｂにおけるトラヒック状況に基づいて制御することができる。よって、移動体通信システム２００は、内線送受信によるユーザデータの送受信の品質を維持したり、トラヒックを分散したりできる。
【０１２３】
［第３の実施の形態］
（移動体通信システム）
移動体通信システムは、ＭＳ２１０ａに代えて、ＭＳ３１０ａを用いる以外は、図１０に示す移動体通信システム２００と実質的に同様である。ＭＳ３１０ａは、図１５に示すように、無線送受信部３１１と、制御信号処理部３１２と、ユーザデータ処理部３１３とを備える。
【０１２４】
ユーザデータ処理部３１３は、ＭＳ３１０ａが送信するユーザデータを生成する。又、ユーザデータ処理部３１３は、ＭＳ３１０ａが受信したユーザデータを出力するなどの処理を行う。ユーザデータ処理部３１３は、生成したユーザデータを無線送受信部３１１に入力し、無線送受信部３１１から、無線送受信部３１１が受信したデータを取得する。
【０１２５】
制御信号処理部３１２は、ＭＳ３１０ａが送受信する制御データを処理する。具体的には、制御信号処理部３１２は、発信要求や呼び出しに対する応答などの移動局制御データを生成する。又、制御信号処理部３１２は、ユーザデータが、無線アクセスネットワーク２５０ａ，２５０ｂ内でデータを送受信する内線送受信により送受信されることを要求する内線送受信要求を、内線送受信制御データとして生成する。ＭＳ３１０ａを利用するユーザ、例えば、端末などの物や人間が、ユーザデータが内線送受信により送受信されることを希望する場合に、制御信号処理部３１２は内線送受信要求を生成する。
【０１２６】
例えば、制御信号処理部３１２は、ユーザからの入力を受けた際に、内線送受信要求を生成する。又、制御信号処理部３１２は、ユーザデータ処理部３１３から、ユーザデータ処理部３１３が生成したユーザデータに関する情報を取得し、その情報に基づいて、ユーザが内線送受信を希望するか否かを判断する。そして、制御信号処理部３１２は、ユーザが内線送受信を希望すると判断した場合に、内線送受信要求を生成する。或いは、制御信号処理部３１２は、予め設定された条件を満たす場合に、ユーザが内線送受信を希望していると判断し、内線送受信要求を生成することもできる。制御信号処理部３１２は、生成した移動局制御データや内線送受信要求を、無線送受信部３１１に入力する。
【０１２７】
無線送受信部３１１は、ＮｏｄｅＢ２２０ａと無線を介してユーザデータや制御データを送受信する無線通信を行う。無線送受信部３１１は、アンテナ３１１ａと接続し、アンテナ３１１ａを介しＮｏｄｅＢ２２０ａと無線通信を行う。無線送受信部３１１は、受信したユーザデータをユーザデータ処理部３１３に入力する。無線送受信部３１１は、ユーザデータ処理部３１３から、ユーザデータ処理部３１３が生成したユーザデータを取得し、送信する。又、無線送受信部３１１は、受信した制御データを制御信号処理部３１２に入力する。無線送受信部３１１は、制御信号処理部３１２から、制御信号処理部３１２が生成した移動局制御データや内線送受信要求を取得し、送信する。このように、無線送受信部３１１は、内線送受信要求を送信する要求送信部として機能する。無線送受信部３１１は、ＮｏｄｅＢ２２０ａ、ＲＮＣ２４０ａを介して、ＭＳＣ６０に内線送受信要求を送信する。
【０１２８】
又、ＭＳＣ６０は、判断情報として、ＮｏｄｅＢとユーザデータの送受信が可能な内線送受信サーバの有無に加えて、ＭＳ３１０ａのユーザからの内線送受信の要求を用いる。具体的には、図５に示す対ＲＮＣインターフェース６１が、ＲＮＣ２４０ａ，２４０ｂを介して、ＭＳ３１０ａからの内線送受信要求を受信する。このように、対ＲＮＣインターフェース６１は、内線送受信要求を受信する要求受信部としても機能する。対ＲＮＣインターフェース６１は、受信した内線送受信要求を、制御信号処理部６３に入力する。制御信号処理部６３は、取得した内線送受信要求を、内線送受信判断部６６に入力する。
【０１２９】
内線送受信判断部６６は、まず、内線送受信要求の有無を判断する。内線送受信判断部６６は、制御信号処理部６３からの内線送受信要求の入力の有無により、内線送受信要求の有無を判断する。内線送受信判断部６６は、制御信号処理部６３からの内線送受信要求の入力がない場合には、内線送受信要求がないと判断し、その時点で、内線送受信によるユーザデータの送受信を行わないと判断する。そして、内線送受信判断部６６は、ＭＳＣ６０を介したユーザデータの送受信を行うことを決定する。
【０１３０】
一方、内線送受信判断部６６は、制御信号処理部６３からの内線送受信要求の入力がある場合には、内線送受信要求があると判断する。そして、内線送受信判断部６６は、第１の実施の形態と同様にして、内線送受信サーバ接続情報ＤＢ６５に保持された内線送受信サーバ接続情報に基づいて、内線送受信によるユーザデータの送受信を行うか否かを判断する。
【０１３１】
（通信方法）
移動体通信システム２００において、ＭＳ２１０ａに代えて、ＭＳ３１０ａを用いた場合の通信方法について、図１６を用いて説明する。まず、ＭＳ３１０ａが、ＮｏｄｅＢ２２０ａ、ＲＮＣ２４０ａを介して、ＭＳＣ６０に、ＭＳ２１０ｂへのユーザデータの送信を要求する発信要求と、内線送受信要求を送信する（Ｓ３０１）。そして、ステップ（Ｓ３０２）〜（Ｓ３１６）が行われる。ステップ（Ｓ３０２）〜（Ｓ３１６）は、図１３に示したステップ（Ｓ２０３）〜（Ｓ２０７）、（Ｓ２１０）〜（Ｓ２１９）と実質的に同様である。
【０１３２】
但し、ステップ（Ｓ３０３）において、ＭＳＣ６０は、ＭＳ３１０ａが接続するＮｏｄｅＢ２２０ａが内線送受信サーバ２３０ａと接続し、ＭＳ２１０ｂが接続するＮｏｄｅＢ２２０ｂが内線送受信サーバ２３０ｂと接続していることを検出する。ＭＳＣ６０は、ＮｏｄｅＢ３２０ａ，２２０ｂと接続している内線送受信サーバ２３０ａ，２３０ｂが共に存在するため、内線送受信によるユーザデータの送受信を行うと判断し、内線送受信に使用する内線送受信サーバとして、内線送受信サーバ２３０ａ，２３０ｂを選択する。
又、ＭＳＣ６０は、ステップ（Ｓ３０１）において、ＭＳ３１０ａからの内線送受信要求がない場合には、内線送受信によるユーザデータの送受信を行わないと判断する。そして、ＭＳＣ６０は、ステップ（Ｓ３０２）に進まずに、ＭＳＣ６０を介したユーザデータの送受信を行うことを決定する。よって、ＭＳ３１０ａから送信されたユーザデータは、ＮｏｄｅＢ２２０ａ、ＲＮＣ２４０ａ、ＭＳＣ６０、ＲＮＣ２４０ｂ、ＮｏｄｅＢ２２０ｂを介して、ＭＳ２１０ｂが受信する。
【０１３３】
（効果）
このような移動体通信システム、ＭＳ３１０ａ、ＮｏｄｅＢ２２０ａ，２２０ｂ、内線送受信サーバ２３０ａ，２３０ｂ、ＭＳＣ６０及び通信方法によれば、図２に示したこ移動体通信システム２００、ＮｏｄｅＢ２２０ａ，２２０ｂ、内線送受信サーバ２３０ａ，２３０ｂ、ＭＳＣ６０によって得られる効果に加えて、以下の効果を得ることができる。
【０１３４】
ＭＳ３１０ａのユーザが、内線送受信によるユーザデータの送受信を希望する場合に、内線送受信によるユーザデータの送受信を制御装置であるＭＳＣ６０に要求することができる。そして、ＭＳＣ６０の内線送受信判断部６６が、ＭＳ３１０ａのユーザからの内線送受信要求に基づいて、内線送受信によるユーザデータの送受信を行うかを判断できるため、移動体通信システムは、ユーザの要求に瞬時に対応して、内線送受信によりユーザデータを送受信できる。よって、ユーザの利便性が向上する。
【０１３５】
［変更例］
本発明は、上記第１〜第３の実施の形態に限定されるものではなく、種々の変更が可能である。図１０、図１１に示す移動体通信システム１００，２００では、ＭＳＣ６０が、ユーザデータを内線送受信により送受信するか否かを判断する制御装置として機能しているが、制御装置はＭＳＣ６０に限定されない。ＮｏｄｅＢ２０ａ，２０ｂ，２２０ａ，２２０ｂ、ＲＮＣ４０ａ，４０ｂ，２４０ａ，２４０ｂ、内線送受信サーバ３０，２３０ａ，２３０ｂが、ユーザデータを内線送受信により送受信するか否かを判断する制御装置として機能してもよい。あるいは、ユーザデータを内線送受信により送受信するか否かを判断する制御装置を、無線アクセスネットワーク５０，２５０ａ，２５０ｂ又はコアネットワーク８０に設けてもよい。
【０１３６】
これらの場合には、ＮｏｄｅＢ２０ａ，２０ｂ，２２０ａ，２２０ｂ、ＲＮＣ４０ａ，４０ｂ，２４０ａ，２４０ｂ、内線送受信サーバ３０，２３０ａ，２３０ｂ、新たに設置した制御装置は、図５に示した内線送受信判断部６６、内線送受信サーバ接続情報ＤＢ６５、対ＲＮＣインターフェース６１が果たしていた判断情報受信部と、要求受信部と、判断結果送信部と、ＭＳとＭＳが接続しているＮｏｄｅＢとの対応関係を、ＭＳＣ６０又はＨＬＲ７０から取得する取得部とを備えればよい。
【０１３７】
又、図１０、図１１に示す移動体通信システム１００，２００では、ＭＳＣ６０を用いているが、移動交換局として、分散移動交換局と集約移動交換局を用いてもよい。この場合でも、ユーザデータを内線送受信により送受信することにより、異なる分散移動交換局の配下に存在する移動局同士が通信を行う際のユーザデータの経路を短縮できる。
【０１３８】
更に、判断情報である無線アクセスネットワークにおけるトラヒック状況として、ＮｏｄｅＢにおけるトラヒック状況を用いたが、無線アクセスネットワーク５０，２５０ａ，２５０ｂが備える内線送受信サーバ３０，２３０ａ，２３０ｂにおけるトラヒック状況、ＲＮＣ４０ａ，４０ｂ，２４０ａ，２４０ｂにおけるトラヒック状況を用いてもよい。又、ＮｏｄｅＢにおけるトラヒック状況、内線送受信サーバ３０，２３０ａ，２３０ｂにおけるトラヒック状況、ＲＮＣ４０ａ，４０ｂ，２４０ａ，２４０ｂにおけるトラヒック状況の少なくとも２つ以上を組み合わせることによって示されるトラヒック状況を、無線アクセスネットワークにおけるトラヒック状況として用いてもよい。これらの場合には、内線送受信サーバ３０，２３０ａ，２３０ｂ、ＲＮＣ４０ａ，４０ｂ，２４０ａ，２４０ｂが、それぞれのトラヒック状況を取得するトラヒック状況取得部、判断情報送信部を備えればよい。
【０１３９】
又、内線送受信判断部６６は、トラヒック状況に基づいて内線送受信によるユーザデータの送受信を行うか否かを判断できることから、例えば、通信事業者の提供するサービス品質を細かく設定できる。この場合、ＨＬＲ７０に、加入者情報として各ユーザのサービス品質を登録しておく。内線送受信判断部６６は、トラヒック状況に加えて、その加入者情報を用い、内線送受信によるユーザデータの送受信を行うか否かを判断する。これにより、内線送受信判断部６６は、各ユーザの加入しているサービスを識別し、各ユーザにより適切なサービスを提供できる。
【０１４０】
又、内線送受信判断部６６は、内線送受信サーバの処理能力を判断情報として用いて、ユーザデータを内線送受信により送受信するか否かを判断してもよい。これによれば、内線送受信判断部６６は、内線送受信と、ＭＳＣ６０を介したユーザデータの送受信のいずれを行うかを、内線送受信サーバの処理能力に基づいて制御することができる。よって、移動体通信システムは、内線送受信によるユーザデータの送受信の品質を維持したり、負荷を分散したりできる。更に、内線送受信判断部６６は、無線アクセスネットワークにおけるトラヒック状況、内線送受信サーバの処理能力、ＭＳのユーザからの内線送受信要求、又は、ＮｏｄｅＢとユーザデータの送受信が可能な内線送受信サーバの有無の中から、２つ以上を組み合わせて、判断してもよい。
【０１４１】
又、ＭＳＣ６０は、ＭＳ３１０ａから送信された内線送受要求を受信することにより、ユーザが内線送受信を要求していることを認識していたが、ＨＬＲ７０の加入者情報として、予めＭＳのユーザの内線送受信要求の有無を登録しておいてもよい。この場合、ＭＳＣ６０は、ＨＬＲ７０から、加入者情報として、ユーザの内線送受信要求の有無を取得し、判断情報として用いることができる。
【０１４２】
又、図１０、図１１では、ユーザデータを内線送受信によりＮｏｄｅＢや他の内線送受信サーバと送受信する処理、それに関する処理を主に行う内線送受信サーバ３０，２３０ａ，２３０ｂを設けたが、そのような内線送受信の機能を備えた無線基地局装置や無線制御装置を設けるようにしてもよい。
【０１４３】
例えば、図１７に示すＮｏｄｅＢ３３０ａは、ユーザデータを、無線アクセスネットワーク内でデータを送受信する内線送受信により、他のＮｏｄｅＢ２０ｂと送受信する。ＮｏｄｅＢ３３０ａは、対ＮｏｄｅＢインターフェース３３１ａと、対ＲＮＣインターフェース３３２ａと、制御信号処理部３３３ａと、ユーザデータ処理部３３４ａと、無線送受信部３３５ａとを備える。
【０１４４】
対ＮｏｄｅＢインターフェース３３１ａは、図３に示す対ＮｏｄｅＢインターフェース３１と実質的に同様であり、ユーザデータを、無線アクセスネットワーク内でデータを送受信する内線送受信により、他のＮｏｄｅＢ２０ｂと送受信する基地局送受信部として機能する。対ＲＮＣインターフェース３３２ａは、図２に示す対ＲＮＣインターフェース２２と、図３に示す対ＲＮＣインターフェース３２の機能を備える。制御信号処理部３３３ａは、図２に示す制御信号処理部２４と、図３に示す制御信号処理部３３の機能を備える。ユーザデータ処理部３３４ａは、図２に示すユーザデータ処理部２５と、図３に示すユーザデータ処理部３４の機能を備える。無線送受信部３３５ａは、図２に示す無線送受信部２１と実質的に同様である。
【０１４５】
このようなＮｏｄｅＢ３３０ａは、図１におけるＮｏｄｅＢ２０ａと内線送受信サーバ３０に代えて用いることができる。そして、ＮｏｄｅＢ３３０ａは、ユーザデータを内線送受信によりＮｏｄｅＢ２０ｂと送受信する内線送受信の機能と、ＭＳ１０ａと無線通信を行うＮｏｄｅＢの機能の両方を果たすことができる。具体的には、対ＮｏｄｅＢインターフェース３３１ｂが、ユーザデータを、他のＮｏｄｅＢ２０ｂとの間で内線送受信により送受信する。そのため、ＮｏｄｅＢ３３０ａは、無線アクセスネットワーク５０の外にあるＭＳＣ６０を介さずに、ユーザデータを他のＮｏｄｅＢ２０ｂと送受信できる。よって、ＮｏｄｅＢ３３０ａは、ユーザデータの経路を短縮できる。
【０１４６】
又、図１８に示すＲＮＣ３３０ｂは、ユーザデータを、無線アクセスネットワーク内でデータを送受信する内線送受信により、ＮｏｄｅＢ２２０ｂや内線送受信サーバ２３０ａと送受信する。ＲＮＣ３３０ｂは、対ＮｏｄｅＢインターフェース３３１ｂと、対ＭＳＣインターフェース３３２ｂと、制御信号処理部３３３ｂと、ユーザデータ処理部３３４ｂと、対内線送受信サーバインターフェース３３５ｂとを備える。
【０１４７】
対ＮｏｄｅＢインターフェース３３１ｂは、図４に示す対ＮｏｄｅＢインターフェース４１と、図１１に示す対ＮｏｄｅＢインターフェース２３１の機能を備え、ユーザデータを、無線アクセスネットワーク内でデータを送受信する内線送受信により、ＮｏｄｅＢ２２０ｂと送受信する基地局送受信部として機能する。対ＭＳＣインターフェース３３２ｂは、図４に示す対ＭＳＣインターフェース４３と実質的に同様である。制御信号処理部３３３ｂは、図４に示す制御信号処理部４４と、図１１に示す制御信号処理部２３３の機能を備える。ユーザデータ処理部３３４ｂは、図４に示すユーザデータ処理部４５と、図１１に示すユーザデータ処理部２３４の機能を備える。対内線送受信サーバインターフェース３３５ｂは、図１１に示すと対内線送受信サーバインターフェース２３５と実質的に同様であり、ユーザデータを、内線送受信により他の内線送受信サーバ２３０ａと送受信する内線送受信部として機能する。
【０１４８】
このようなＲＮＣ３３０ｂは、図１０におけるＲＮＣ２４０ｂと内線送受信サーバ２３０ｂに代えて用いることができる。よって、ＲＮＣ３３０ｂは、ユーザデータを内線送受信によりＮｏｄｅＢ２２０ｂや内線送受信サーバ２３０ａと送受信する内線送受信の機能と、ＭＳ２１０ｂとＮｏｄｅＢ２２０ｂとが行う無線通信を制御するＲＮＣの機能の両方を果たすことができる。具体的には、対ＮｏｄｅＢインターフェース３３１ｂが、ユーザデータを、ＮｏｄｅＢ２２０ｂとの間で内線送受信により送受信する。更に、対内線送受信サーバインターフェース３３５ｂが、ユーザデータを、内線送受信サーバ２３０ａとの間で内線送受信により送受信する。そのため、ＲＮＣ３３０ｂは、無線アクセスネットワーク２５０ａ，２５０ｂの外にあるＭＳＣ６０を介さずに、ユーザデータをＮｏｄｅＢ２２０ｂと送受信できる。よって、ＲＮＣ３３０ｂは、ユーザデータの経路を短縮できる。しかも、ＲＮＣ３３０ｂは、ユーザデータを内線送受信により送受信できる範囲、即ち、内線送受信可能な領域を容易に拡大できる。
【０１４９】
【発明の効果】
以上説明したように、本発明によれば、ユーザデータの経路を短縮することができる。
【図面の簡単な説明】
【図１】本発明の第１の実施の形態に係る移動体通信システムの構成を示す図である。
【図２】本発明の第１の実施の形態に係るＮｏｄｅＢの構成を示すブロック図である。
【図３】本発明の第１の実施の形態に係る内線送受信サーバの構成を示すブロック図である。
【図４】本発明の第１の実施の形態に係るＲＮＣの構成を示すブロック図である。
【図５】本発明の第１の実施の形態に係るＭＳＣの構成を示すブロック図である。
【図６】本発明の第１の実施の形態に係る内線送受信サーバ接続情報ＤＢ示す図である。
【図７】本発明の第１の実施の形態に係るＨＬＲの構成を示すブロック図である。
【図８】本発明の第１の実施の形態に係る通信方法の手順を示すフロー図である。
【図９】本発明の第１の実施の形態に係るユーザデータの経路を示す図である。
【図１０】本発明の第２の実施の形態に係る移動体通信システムの構成を示す図である。
【図１１】本発明の第２の実施の形態に係る内線送受信サーバの構成を示すブロック図である。
【図１２】本発明の第２の実施の形態に係るＮｏｄｅＢのトラヒック状況と内線トラヒック許容閾値を示す図である。
【図１３】本発明の第２の実施の形態に係る通信方法の手順を示すフロー図である。
【図１４】本発明の第２の実施の形態に係るユーザデータの経路を示す図である。
【図１５】本発明の第３の実施の形態に係るＭＳの構成を示すブロック図である。
【図１６】本発明の第３の実施の形態に係る通信方法の手順を示すフロー図である。
【図１７】本発明の変更例に係るＮｏｄｅＢの構成を示すブロック図である。
【図１８】本発明の変更例に係るＲＮＣの構成を示すブロック図である。
【図１９】従来の移動体通信システムの構成を示す図である。
【図２０】
従来の通信方法の手順を示すフロー図である。
【図２１】
従来のユーザデータの経路を示す図である。
【符号の説明】
１００，２００，４００  移動体通信システム
１０ａ，１０ｂ，２１０ａ，２１０ｂ，３１０ａ，４１０ａ，４１０ｂ  ＭＳ
２０ａ，２０ｂ，２２０ａ，２２０ｂ，３３５ａ，４２０ａ，４２０ｂ  ＮｏｄｅＢ
２１，３３５ａ  無線送受信部
２２，３３２ａ  対ＲＮＣインターフェース
２３  対内線送受信サーバインターフェース
２４，３３３ａ  制御信号処理部
２５，３３４ａ  ユーザデータ処理部
３０，２３０ａ，２３０ｂ  内線送受信サーバ
３１，２３１，３３１ａ  対ＮｏｄｅＢインターフェース
３２，２３２  対ＲＮＣインターフェース
３３，２３３  制御信号処理部
３４，２３４  ユーザデータ処理部
４０ａ，４０ｂ，２４０ａ，２４０ｂ，３３０ｂ，４４０ａ，４４０ｂ  ＲＮＣ
４１，３３１ｂ  対ＮｏｄｅＢインターフェース
４２  対内線送受信サーバインターフェース
４３，３３２ｂ  対ＭＳＣインターフェース
４４，３３３ｂ  制御信号処理部
４５，３３４ｂ  ユーザデータ処理部
５０，２５０ａ，２５０ｂ，４５０  無線アクセスネットワーク
６０，４６０  ＭＳＣ
６１  対ＲＮＣインターフェース
６２  対ＨＬＲインターフェース
６３  制御信号処理部
６４  ユーザデータ処理部
６５  内線送受信サーバ接続情報ＤＢ
６６  内線送受信判断部
７０，４７０  ＨＬＲ
７１  対ＭＳＣインターフェース
７２  加入者情報ＤＢ
８０  コアネットワーク
２３５，３３５ｂ  対内線送受信サーバインターフェース
３１１  無線送受信部
３１２  制御信号処理部
３１３  ユーザデータ処理部
【図１】
2004364054.tif 000003
【図２】
2004364054.tif 000004
【図３】
2004364054.tif 000005
【図４】
2004364054.tif 000006
【図５】
2004364054.tif 000007
【図６】
2004364054.tif 000008
【図７】
2004364054.tif 000009
【図８】
2004364054.tif 000010
【図９】
2004364054.tif 000011
【図１０】
2004364054.tif 000012
【図１１】
2004364054.tif 000013
【図１２】
2004364054.tif 000014
【図１３】
2004364054.tif 000015
【図１４】
2004364054.tif 000016
【図１５】
2004364054.tif 000017
【図１６】
2004364054.tif 000018
【図１７】
2004364054.tif 000019
【図１８】
2004364054.tif 000020
【図１９】
2004364054.tif 000021
【図２０】
2004364054.tif 000022
【図２１】
2004364054.tif 000023